(57)【要約】  放送波等から取得されるコンテンツのサムネイルをユーザに提供する際のユーザの利便性を向上することができるコンテンツ受信装置を提供する。コンテンツ受信装置は、コンテンツを取得するコンテンツ受信部と、コンテンツ受信部が取得したコンテンツのサムネイルを生成する生成部と、生成部が生成したサムネイルを記憶するサムネイル記憶部と、サムネイルの取得要求を受信する要求受信部と、送信部と、を備える。送信部は、要求受信部で受信されたサムネイルの取得要求に応じて、サムネイル記憶部に記憶されたサムネイルを、サムネイルの取得要求の送信元に送信する。
2016051803.tif 000002
【特許請求の範囲】
【請求項１】
コンテンツを取得するコンテンツ受信部と、
前記コンテンツ受信部が取得した前記コンテンツのサムネイルを生成する生成部と、
前記生成部が生成した前記サムネイルを記憶するサムネイル記憶部と、
サムネイルの取得要求を受信する要求受信部と、
前記要求受信部で受信された前記サムネイルの取得要求に応じて、前記サムネイル記憶部に記憶された前記サムネイルを、前記サムネイルの取得要求の送信元に送信する送信部と、を備える、
コンテンツ受信装置。
【請求項２】
前記コンテンツ受信部は、複数の放送局から放送される放送波をそれぞれ受信して前記コンテンツを取得し、
前記要求受信部は、前記複数の放送局のいずれか１つまたは複数を特定する特定情報を含む前記サムネイルの取得要求を受信し、
前記送信部は、前記特定情報により特定される放送局から取得した前記コンテンツの前記サムネイルを、前記サムネイルの取得要求の送信元に送信する、
請求項１に記載のコンテンツ受信装置。
【請求項３】
前記コンテンツ受信部は、
前記コンテンツ受信部が受信できる放送局の一覧を示すリストに基づき、前記複数の放送局から送信される放送波を順次受信して前記コンテンツを取得する、
請求項２に記載のコンテンツ受信装置。
【請求項４】
前記送信部は、
複数の前記サムネイルを送信するときに、複数の前記サムネイルのそれぞれを画像フレームとして有する１つの動画ファイルを生成し、前記動画ファイルを、前記サムネイルの取得要求の送信元に送信する、
請求項１に記載のコンテンツ受信装置。
【請求項５】
前記特定情報を、前記特定情報により特定される放送局の放送波に対応するチャンネル番号に変換する情報変換部、を備える、
請求項２に記載のコンテンツ受信装置。
【請求項６】
コンテンツ受信装置と、表示装置と、を備え、
前記コンテンツ受信装置は、
コンテンツを取得するコンテンツ受信部と、
前記コンテンツ受信部が取得した前記コンテンツのサムネイルを生成する生成部と、
前記生成部が生成した前記サムネイルを記憶するサムネイル記憶部と、
前記表示装置から送信されてくるサムネイルの取得要求を受信する要求受信部と、
前記要求受信部で受信された前記サムネイルの取得要求に応じて、前記サムネイル記憶部に記憶された前記サムネイルを、前記サムネイルの取得要求の送信元の前記表示装置に送信する送信部と、を備え、
前記表示装置は、
前記サムネイルの取得要求を前記コンテンツ受信装置に送信するサムネイル要求送信部と、
前記コンテンツ受信装置から送信されてくる前記サムネイルを受信するサムネイル受信部と、
前記サムネイル受信部が受信した前記サムネイルを表示する表示部と、を備える、
コンテンツ受信システム。
【請求項７】
前記表示装置は、
前記サムネイルの取得要求を定期的に送信して前記表示部に表示中の前記サムネイルを定期的に更新し、
前記サムネイルの取得要求は、前記表示部に表示中の前記サムネイルに対応するコンテンツを放送した放送局を特定する特定情報を含む、
請求項６に記載のコンテンツ受信システム。
【請求項８】
コンテンツ受信装置の制御方法であって、
コンテンツを取得するコンテンツ取得ステップと、
前記コンテンツ取得ステップで取得した前記コンテンツのサムネイルを生成する生成ステップと、
前記生成ステップで生成した前記サムネイルを記憶するサムネイル記憶ステップと、
サムネイルの取得要求を受信する要求受信ステップと、
前記要求受信ステップで受信された前記サムネイルの取得要求に応じて、前記サムネイル記憶ステップで記憶された前記サムネイルを、前記サムネイルの取得要求の送信元に送信する送信ステップと、を含む、
制御方法。
【請求項９】
請求項８に記載の制御方法をコンピュータに実行させるためのプログラム。
【発明の詳細な説明】
【技術分野】
【０００１】
本開示は、コンテンツ受信装置、コンテンツ受信システム、およびコンテンツ受信装置の制御方法に関する。
【背景技術】
【０００２】
特許文献１は、放送波または記憶媒体等から映像コンテンツ（以下、単に「コンテンツ」ともいう）を受信または取得するコンテンツ受信装置に関する技術を開示する。【０００３】
非特許文献１は、ＮＡＴ（Ｎｅｔｗｏｒｋ  Ａｄｄｒｅｓｓ  Ｔｒａｎｓｌａｔｉｏｎ）を超えて通信するための技術を開示する。【０００４】
コンテンツ受信装置は、取得したコンテンツをユーザが閲覧するときに、コンテンツの題名等を示す文字等の情報を、ユーザにわかりやすく表示することが望ましい。【０００５】
コンテンツ受信装置では、複数のコンテンツを一覧表示するとき、サムネイルが用いられることがある。サムネイルは、コンテンツの内容を示す静止画または動画を縮小表示したものである。【０００６】
コンテンツ受信装置は、放送波からコンテンツを取得する場合に、取得するコンテンツの一覧を予めユーザに提供することがある。
【先行技術文献】
【特許文献】
【０００７】
【特許文献１】特開２００９−１５２９２７号公報
【非特許文献】
【０００８】
【非特許文献１】ＳＴＵＮ  −  Ｓｉｍｐｌｅ  Ｔｒａｖｅｒｓａｌ  ｏｆ  Ｕｓｅｒ  Ｄａｔａｇｒａｍ  Ｐｒｏｔｏｃｏｌ  （ＵＤＰ）  Ｔｈｒｏｕｇｈ  Ｎｅｔｗｏｒｋ  Ａｄｄｒｅｓｓ  Ｔｒａｎｓｌａｔｏｒｓ  （ＮＡＴｓ），  ＲＦＣ  ３４８９，２０１２年３月
【発明の概要】
【０００９】
本開示は、放送波等から取得されるコンテンツの一覧をユーザに提供する際のユーザの利便性を向上することができるコンテンツ受信装置を提供する。
【００１０】
本開示におけるコンテンツ受信装置は、コンテンツを取得するコンテンツ受信部と、コンテンツ受信部が取得したコンテンツのサムネイルを生成する生成部と、生成部が生成したサムネイルを記憶するサムネイル記憶部と、サムネイルの取得要求を受信する要求受信部と、送信部と、を備える。送信部は、要求受信部で受信されたサムネイルの取得要求に応じて、サムネイル記憶部に記憶されたサムネイルを、サムネイルの取得要求の送信元に送信する。
【００１１】
本開示におけるコンテンツ受信システムは、コンテンツ受信装置と、表示装置と、を備える。コンテンツ受信装置は、コンテンツを取得するコンテンツ受信部と、コンテンツ受信部が取得したコンテンツのサムネイルを生成する生成部と、生成部が生成したサムネイルを記憶するサムネイル記憶部と、表示装置から送信されてくるサムネイルの取得要求を受信する要求受信部と、要求受信部で受信されたサムネイルの取得要求に応じて、サムネイル記憶部に記憶されたサムネイルを、サムネイルの取得要求の送信元の表示装置に送信する送信部と、を備える。表示装置は、サムネイルの取得要求をコンテンツ受信装置に送信するサムネイル要求送信部と、コンテンツ受信装置から送信されてくるサムネイルを受信するサムネイル受信部と、サムネイル受信部が受信したサムネイルを表示する表示部と、を備える。
【００１２】
本開示におけるコンテンツ受信装置は、放送波等から取得されるコンテンツの一覧をユーザに提供する際のユーザの利便性を向上するのに有効である。
【図面の簡単な説明】
【００１３】
【図１】図１は、実施の形態１におけるコンテンツ受信システムのシステム構成の一例を模式的に示す図である。
【図２】図２は、実施の形態１におけるコンテンツ受信装置の構成の一例を模式的に示すブロック図である。
【図３】図３は、実施の形態１におけるコンテンツ受信装置のリスト制御部の構成の一例を模式的に示すブロック図である。
【図４】図４は、実施の形態１におけるコンテンツ受信装置のサムネイル制御部の構成の一例を模式的に示すブロック図である。
【図５】図５は、実施の形態１におけるコンテンツ受信装置のコンテンツ制御部の構成の一例を模式的に示すブロック図である。
【図６】図６は、実施の形態１における表示装置の構成の一例を模式的に示すブロック図である。
【図７】図７は、実施の形態１における表示装置のリスト制御部の構成の一例を模式的に示すブロック図である。
【図８】図８は、実施の形態１における表示装置のサムネイル制御部の構成の一例を模式的に示すブロック図である。
【図９】図９は、実施の形態１における表示装置のコンテンツ制御部の構成の一例を模式的に示すブロック図である。
【図１０】図１０は、実施の形態１におけるコンテンツ受信システムで実行される処理の一例を模式的に示すシーケンス図である。
【図１１】図１１は、実施の形態１における表示装置に表示される画像の一例を示す図である。
【図１２】図１２は、実施の形態２におけるコンテンツ受信システムのシステム構成の一例を模式的に示す図である。
【図１３】図１３は、実施の形態２における表示装置においてコンテンツに関する情報を取得する際の処理の一例を示すフローチャートである。
【図１４】図１４は、実施の形態３におけるコンテンツ受信システムのシステム構成の一例を模式的に示す図である。
【図１５】図１５は、実施の形態４におけるコンテンツ受信システムのシステム構成の一例を模式的に示す図である。
【図１６】図１６は、実施の形態４におけるコンテンツ受信装置の構成の一例を模式的に示すブロック図である。
【図１７】図１７は、実施の形態４におけるコンテンツ受信装置のサムネイル記憶部に保存される付属情報の一例を模式的に示す図である。
【図１８】図１８は、実施の形態４におけるコンテンツ受信システムで実行される処理の一例を模式的に示すシーケンス図である。
【図１９】図１９は、実施の形態４における表示装置に表示される画像の一例を示す図である。
【図２０】図２０は、実施の形態４におけるコンテンツ受信装置で実行されるサムネイル生成処理の一例を示すフローチャートである。
【図２１】図２１は、実施の形態４におけるコンテンツ受信装置で実行されるサムネイル送信処理の一例を示すフローチャートである。
【発明を実施するための形態】
【００１４】
以下、適宜図面を参照しながら、実施の形態を詳細に説明する。ただし、必要以上に詳細な説明は省略する場合がある。例えば、すでによく知られた事項の詳細説明や実質的に同一の構成に対する重複説明を省略する場合がある。これは、以下の説明が不必要に冗長になるのを避け、当業者の理解を容易にするためである。
【００１５】
なお、添付図面および以下の説明は、当業者が本開示を十分に理解するために提供されるのであって、これらにより特許請求の範囲に記載の主題を限定することは意図されていない。
【００１６】
また、各図は、模式図であり、必ずしも厳密に図示されたものではない。また、各図において、同じ構成要素については同じ符号を付している。
【００１７】
なお、以下の説明において、コンテンツとは、複数の画像フレームを含む映像コンテンツのことである。コンテンツは、音声を含んでもよいし、含まなくてもよい。
【００１８】
（実施の形態１）
実施の形態１では、サーバが備える記憶装置の記憶容量の増加を抑制し、またサーバを接続する通信回線の通信容量の増大を抑制するのに有効なコンテンツ受信システムについて説明する。
【００１９】
以下、図１〜図１１を用いて、実施の形態１を説明する。
【００２０】
［１−１．構成］
図１は、実施の形態１におけるコンテンツ受信システム１のシステム構成の一例を模式的に示す図である。
【００２１】
図１に示すように、コンテンツ受信システム１は、コンテンツ受信装置１０と、通信装置２０と、サーバ３０と、表示装置４０と、を備える。コンテンツ受信装置１０は、通信装置２０を介してネットワーク５０に接続されており、サーバ３０および表示装置４０は、ネットワーク５０に接続されている。
【００２２】
通信装置２０は、家庭内ＬＡＮ（Ｌｏｃａｌ  Ａｒｅａ  Ｎｅｔｗｏｒｋ）とグローバルネットワークとを相互に接続するための通信装置である。コンテンツ受信装置１０は家庭内ＬＡＮに接続された端末の一例であり、ネットワーク５０はグローバルネットワークの一例である。通信装置２０は、家庭内ＬＡＮに接続された端末とグローバルネットワークに接続された端末とを互いに通信可能に接続するためのアドレス変換機能であるＮＡＴ（Ｎｅｔｗｏｒｋ  Ａｄｄｒｅｓｓ  Ｔｒａｎｓｌａｔｉｏｎ）機能を有する。
【００２３】
一般に、家庭内ＬＡＮではプライベートＩＰ（Ｉｎｔｅｒｎｅｔ  Ｐｒｏｔｏｃｏｌ）アドレス（以下、単に「プライベートアドレス」ともいう）が用いられ、グローバルネットワークではグローバルＩＰアドレス（以下、単に「グローバルアドレス」ともいう）が用いられる。プライベートアドレスを有する装置（例えば、コンテンツ受信装置１０）とグローバルアドレスを有する装置（例えば、サーバ３０、表示装置４０）とは、アドレス体系が互いに異なるので、それぞれの装置が有しているアドレスを用いて直接的に相互通信することはできない。そこで、通信装置２０がプライベートアドレスとグローバルアドレスとを相互に変換することで、家庭内ＬＡＮに接続された装置と、グローバルアドレスを有する装置とは、相互通信が可能となる。
【００２４】
なお、通信装置２０は、上記のアドレス変換を行う際に、通信パケットのペイロード部分に含まれる内容を変更することはない。
【００２５】
通信装置２０は、例えば、ユーザの自宅に設置され、家庭内ＬＡＮと、グローバルネットワーク（または、グローバルネットワークに接続するためのアクセスネットワーク）との境界に配置されるルータ（いわゆるブロードバンドルータ）、である。
【００２６】
コンテンツ受信装置１０は、放送波、または、その他のコンテンツ送信元からコンテンツを受信する受信装置である。コンテンツ受信装置１０は、保有しているコンテンツの一覧（リスト）を示すリスト情報と、保有しているコンテンツのサムネイルとを、ネットワーク５０を介して表示装置４０に送信する。そして、表示装置４０からの要求（コンテンツの取得要求）に応じて、保有しているコンテンツを表示装置４０に送信する。コンテンツ受信装置１０は、通信装置２０のＮＡＴ機能を利用して、ネットワーク５０に接続された各装置と通信を行う。コンテンツ受信装置１０は、例えば、ユーザの自宅に設置されている録画装置またはテレビジョン受像機、等である。
【００２７】
なお、その他のコンテンツ送信元には、例えば、インターネット上のコンテンツ配信サイトが含まれる。すなわち、コンテンツ受信装置１０は、コンテンツ配信サイトからコンテンツを取得してもよい。
【００２８】
サーバ３０は、コンテンツ受信装置１０と表示装置４０との間でやりとりされる情報を中継するためのサーバ装置である。サーバ３０は、コンテンツ受信装置１０が保有する受信コンテンツのリストを保持する。なお、サーバ３０は、情報を中継する中継部（図示せず）を備えていてもよい。サーバ３０は一般に使用されているサーバコンピュータと実質的に同じであるので詳細な説明は省略する。なお、サーバ３０に、ネットワーク接続機能を有する一般的なコンピュータを用いてもよい。
【００２９】
表示装置４０は、コンテンツ受信装置１０が保有する複数のコンテンツのリスト、および、それらのコンテンツのサムネイルを表示することで、ユーザに、コンテンツ受信装置１０が保有するコンテンツの一覧を提示することができる表示端末である。表示装置４０は、例えば、高機能携帯電話端末（スマートフォン）、携帯電話端末、または、ＰＣ（Ｐｅｒｓｏｎａｌ  Ｃｏｍｐｕｔｅｒ）、等の通信端末である。
【００３０】
ネットワーク５０は、通信装置２０（通信装置２０に接続されたコンテンツ受信装置１０）、サーバ３０、および表示装置４０のそれぞれが接続される通信回線である。ネットワーク５０の通信規格はどのようなものであってもよく、例えば、携帯電話通信網、公衆通信網、企業内通信網、家庭内通信網、等を含んで構成されてもよく、上記通信網が複数組み合わされて構成されていてもよい。
【００３１】
まず、コンテンツ受信装置１０について説明する。
【００３２】
図２は、実施の形態１におけるコンテンツ受信装置１０の構成の一例を模式的に示すブロック図である。
【００３３】
図３は、実施の形態１におけるコンテンツ受信装置１０のリスト制御部１３０の構成の一例を模式的に示すブロック図である。
【００３４】
図４は、実施の形態１におけるコンテンツ受信装置１０のサムネイル制御部１４０の構成の一例を模式的に示すブロック図である。
【００３５】
図５は、実施の形態１におけるコンテンツ受信装置１０のコンテンツ制御部１５０の構成の一例を模式的に示すブロック図である。
【００３６】
図２に示すように、コンテンツ受信装置１０は、コンテンツ受信部１１０と、記憶部１２０と、リスト制御部１３０と、サムネイル制御部１４０と、コンテンツ制御部１５０と、通信ＩＦ（Ｉｎｔｅｒｆａｃｅ）１６０と、を備える。
【００３７】
コンテンツ受信部１１０は、放送局が放送する放送波、または、その他のコンテンツ送信元から、コンテンツを受信（または、「取得」ともいう）できるように構成されている。コンテンツ送信元は、コンテンツを提供する機能を有するものであればどのようなものであってもよい。例えば、コンテンツ送信元は、放送波によってコンテンツを放送する放送局であってもよく、また、コンテンツ受信部１１０は、チューナ（図示せず）を用いて放送波を受信し、受信した放送波に含まれるコンテンツを取得するように構成されていてもよい。
【００３８】
また、コンテンツ受信部１１０は、コンテンツが記憶された記録媒体からコンテンツを取得するように構成されていてもよい。記録媒体に記憶されたコンテンツは、コンテンツ受信部１１０が過去に放送波等から取得（録画）したコンテンツであってもよいし、他の装置により取得されたコンテンツであってもよい。
【００３９】
また、例えば、コンテンツ受信部１１０は、インターネット上のコンテンツ配信サイトから、インターネット経由でコンテンツを取得するように構成されていてもよい。
【００４０】
なお、コンテンツ受信部１１０は、第一受信部の一例である。
【００４１】
記憶部１２０は、コンテンツを記憶する記憶装置である。記憶部１２０は、例えばＨＤＤ（Ｈａｒｄ  Ｄｉｓｋ  Ｄｒｉｖｅ）等の大容量記憶装置であるが、半導体記憶素子、または光ディスクや磁気ディスク等の記録媒体を着脱可能に装着できる録画（録音）装置、等であってもよい。記憶部１２０は、適切な形式でエンコード（符号化）された電子データとしてコンテンツを記憶する。コンテンツ受信部１１０で取得されたコンテンツは、記憶部１２０に記憶される。記憶部１２０に記憶されているコンテンツは、過去にコンテンツ受信部１１０が放送波等から取得（録画）したコンテンツであってもよいし、他の装置により取得されたコンテンツであってもよい。
【００４２】
なお、コンテンツ受信装置１０は、記憶部１２０の代わりに、記憶媒体を接続するための接続部（図示せず）を備えていてもよい。その場合、接続部に接続された記憶媒体であって、かつコンテンツを記憶している記憶媒体、が記憶部１２０として使用されてもよい。
【００４３】
リスト制御部１３０は、コンテンツ受信部１１０が取得したコンテンツのリストを、表示装置４０に、通信ＩＦ１６０を介して送信する。以下、リスト制御部１３０について、図３を用いて説明する。
【００４４】
リスト制御部１３０は、リスト要求受信部１３１と、リスト生成部１３２と、リスト送信部１３３と、を備える。
【００４５】
リスト要求受信部１３１は、コンテンツのリストの取得要求を、通信ＩＦ１６０を介して受信する。その取得要求は、表示装置４０が、コンテンツ受信装置１０に保有されるコンテンツのリストを取得するために、表示装置４０のリスト要求送信部４１１（図６、図７参照）からコンテンツ受信装置１０に送信される要求（リクエスト）である。
【００４６】
リスト生成部１３２は、コンテンツ受信部１１０が取得したコンテンツのそれぞれを特定する特定情報（以下、「コンテンツＩＤ」ともいう）を含むリストを生成する。コンテンツＩＤは、コンテンツを一意に識別可能な情報であれば、どのようなものであってもよい。コンテンツＩＤは、例えば、放送局名と、録画開始日時と、録画終了日時と、を含む情報であってもよい。放送局名の代わりに、放送波における周波数帯域であるチャンネルのチャンネル番号であって放送局に対応付けられたチャンネル番号が用いられもよく、あるいは、デジタル放送におけるＮｅｔｗｏｒｋＩＤ、ＴＳ（Ｔｒａｎｓｐｏｒｔ  Ｓｔｒｅａｍ）ＩＤおよびＳｅｒｖｉｃｅＩＤを含む情報が用いられてもよい。さらに、コンテンツＩＤにＥｖｅｎｔＩＤが含まれていてもよい。また、コンテンツ受信装置１０（コンテンツ受信部１１０）が、コンテンツを録画するときに、コンテンツを識別するために独自に生成してコンテンツに付与した識別子がコンテンツＩＤに含まれていてもよい。
【００４７】
リスト生成部１３２は、リスト要求受信部１３１が表示装置４０からコンテンツのリストの取得要求を受信したときに、その取得要求に対応する上記リストを生成してもよく、あるいは、その他のタイミングで上記リストを生成してもよい。例えば、リスト生成部１３２は、コンテンツ受信部１１０が新たなコンテンツを取得したときに、上記リストを生成してもよい。その場合、リスト生成部１３２は、コンテンツ受信部１１０が新たに取得したコンテンツだけを含むリスト（以下、「差分リスト」ともいう）を生成してもよい。また、リスト生成部１３２は、その他の任意のタイミングでリストを生成してもよい。
【００４８】
リスト送信部１３３は、リスト生成部１３２が生成したコンテンツのリストを、表示装置４０に、通信ＩＦ１６０を介して送信する。このとき、リスト送信部１３３は、サーバ３０による中継機能を利用してサーバ３０から表示装置４０にリストが届くように、サーバ３０にリストを送信する。
【００４９】
リスト送信部１３３は、リスト生成部１３２が差分リストを生成した場合には、生成された差分リストを、サーバ３０を介して表示装置４０に送信する。この場合、差分リストを受信した表示装置４０は、それまで保有していたリストに差分リストを付け加えることでリストを更新し、最新のリストを得ることができる。
【００５０】
サムネイル制御部１４０は、コンテンツ受信部１１０が取得したコンテンツのそれぞれのサムネイルを、表示装置４０に、通信ＩＦ１６０を介して送信する。以下、サムネイル制御部１４０について、図４を用いて説明する。
【００５１】
サムネイル制御部１４０は、サムネイル要求受信部１４１と、サムネイル生成部１４２と、サムネイル送信部１４３と、を有する。
【００５２】
サムネイル要求受信部１４１は、表示装置４０のサムネイル要求送信部４２１（図６、図８参照）から送信されてくるサムネイルの取得要求を、通信ＩＦ１６０を介して受信する。サムネイルとは、コンテンツのそれぞれに対応し、コンテンツの内容を縮小表示して示す静止画または動画のことである。１つのサムネイルは１つの電子ファイルに収められている。電子ファイルの形式は、静止画の形式（ｊｐｇ、ｂｍｐ、等）であってもよいし、動画の形式（ｍｐｇ、ａｖｉ、等）であってもよい。動画の形式の電子ファイルの方が、より情報量が多いサムネイルを収めることができる。
【００５３】
なお、サムネイルの取得要求には、静止画のサムネイルの要求であるか、または、動画のサムネイルの要求であるか、に関するユーザ指定が含まれていてもよい。
【００５４】
なお、サムネイルの取得要求には、コンテンツまたは放送局等を特定する特定情報が含まれていてもよい。この場合、サムネイル要求受信部１４１は、特定情報をコンテンツ受信部１１０に通知し、特定情報により特定されるコンテンツのサムネイルがサムネイル生成部１４２で生成されてもよい。
【００５５】
サムネイル生成部１４２は、コンテンツ受信部１１０が取得したコンテンツのサムネイルを生成する。サムネイルの取得要求に動画または静止画のユーザ指定が含まれている場合には、サムネイル生成部１４２は、そのユーザ指定に基づいて動画または静止画のサムネイルを生成する。
【００５６】
なお、サムネイル生成部１４２は、サムネイルの取得要求に特定情報が含まれている場合には、特定情報により特定されるコンテンツのサムネイルを生成してもよい。
【００５７】
なお、サムネイル生成部１４２は、例えば、コンテンツに含まれる複数の画像フレームのうちの一部を抽出し、抽出した画像フレームを用いて動画ファイル形式のサムネイルを生成してもよい。
【００５８】
なお、サムネイル生成部１４２は、サムネイル要求受信部１４１がサムネイルの取得要求を受信したときにサムネイルを生成してもよく、あるいは、その他のタイミングでサムネイルを生成してもよい。例えば、サムネイル生成部１４２は、コンテンツ受信部１１０が新たなコンテンツを取得したときに、新たに取得されたそのコンテンツのサムネイルを生成してもよい。
【００５９】
なお、サムネイル生成部１４２は、コンテンツ受信部１１０からサムネイルを生成するタイミングを通知された場合に、その通知に基づくタイミングでサムネイルを生成してもよい。
【００６０】
なお、サムネイル生成部１４２は、サムネイル生成部１４２が生成したサムネイルを記憶するサムネイル記憶部１４２Ａを有していてもよい。また、記憶部１２０の一部がサムネイル記憶部１４２Ａとして使用されてもよい。サムネイル記憶部１４２Ａを有する場合、サムネイル生成部１４２は、サムネイルを生成する際に、生成しようとするサムネイルがすでにサムネイル記憶部１４２Ａに記憶されているか否かを判定し、記憶されていないと判定した場合にのみサムネイルを生成してもよい。そして、生成しようとするサムネイルがサムネイル記憶部１４２Ａに記憶されている場合には、サムネイル生成部１４２は、記憶されているそのサムネイルを読み出して用いてもよい。
【００６１】
なお、サムネイル生成部１４２は、コンテンツのコピー防止のための標準規格に適合したサムネイルを生成してもよい。標準規格には、例えば、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）、および、ＤＴＣＰ＋がある。
【００６２】
サムネイル送信部１４３は、サムネイル生成部１４２が生成したサムネイルを、表示装置４０に通信ＩＦ１６０を介して送信する。
【００６３】
コンテンツ制御部１５０は、コンテンツ受信部１１０が取得したコンテンツを、表示装置４０に通信ＩＦ１６０を介して送信する。以下、コンテンツ制御部１５０について、図５を用いて説明する。
【００６４】
コンテンツ制御部１５０は、コンテンツ要求受信部１５１と、コンテンツ変換部１５２と、コンテンツ送信部１５３と、を有する。
【００６５】
コンテンツ要求受信部１５１は、コンテンツの取得要求を、表示装置４０のコンテンツ要求送信部４３１（図６、図９参照）から通信ＩＦ１６０を介して受信する。コンテンツの取得要求には、取得要求の対象となるコンテンツを特定するコンテンツＩＤが含まれている。また、コンテンツの取得要求には、さらに、画質情報が含まれていてもよい。画質情報とは、表示装置４０が表示可能な画像の品質を示す情報のことであり、数値（例えば、「１」または「２」、等）、または文字列（例えば、「高画質」または「低画質」、等）、またはデータレート（例えば、「１．５Ｍｂｐｓ」または「４００ｋｂｐｓ」等）、等で表現されてもよい。
【００６６】
コンテンツ変換部１５２は、コンテンツ要求受信部１５１が受信したコンテンツの取得要求に応じて、コンテンツ受信部１１０が取得したコンテンツをエンコードする。コンテンツ変換部１５２は、コンテンツの取得要求に画質情報が含まれている場合には、その画質情報に適合するように、コンテンツをエンコードする。
【００６７】
コンテンツ送信部１５３は、コンテンツ変換部１５２でエンコードされたコンテンツを、表示装置４０に通信ＩＦ１６０を介して送信する。
【００６８】
通信ＩＦ１６０は、通信装置２０を介してネットワーク５０と通信するための通信インタフェイスである。また、通信ＩＦ１６０は、表示装置４０の通信ＩＦ４６０（図６参照）と、Ｐ２Ｐ（Ｐｅｅｒ  ｔｏ  Ｐｅｅｒ）通信するための接続（以下、「Ｐ２Ｐ接続」ともいう）ができ、表示装置４０との間でＰ２Ｐ通信を行うことができる。すなわち、通信ＩＦ１６０は、リスト制御部１３０、サムネイル制御部１４０、およびコンテンツ制御部１５０のそれぞれと、表示装置４０とが行う通信を、Ｐ２Ｐ通信で行うことができる。なお、Ｐ２Ｐ通信とは、サーバ−クライアント型の通信とは異なり、サーバ等を介さずに端末同士が直接的に行う通信のことである。Ｐ２Ｐ通信は、通信装置２０（ＮＡＴ）を越えた先に存在する通信相手との間で行う通信であるので、ＮＡＴ越え通信と呼称されることもある。
【００６９】
なお、通信ＩＦ１６０は、サムネイル制御部１４０およびコンテンツ制御部１５０のそれぞれと、表示装置４０とが行う通信を、サーバ３０を介する通信で行ってもよい。なお、サーバ３０を介する通信は、一般に、サーバリレー通信と呼称される。
【００７０】
通信ＩＦ１６０は、ネットワーク５０との通信に適した種類の通信インタフェイスである。そのような種類の通信インタフェイスには、例えば、ＩＥＥＥ８０２．３に適合する有線ＬＡＮ、ＩＥＥＥ８０２．１１に適合する無線ＬＡＮ、等がある。
【００７１】
次に、表示装置４０について説明する。
【００７２】
図６は、実施の形態１における表示装置４０の構成の一例を模式的に示すブロック図である。
【００７３】
図７は、実施の形態１における表示装置４０のリスト制御部４１０の構成の一例を模式的に示すブロック図である。
【００７４】
図８は、実施の形態１における表示装置４０のサムネイル制御部４２０の構成の一例を模式的に示すブロック図である。
【００７５】
図９は、実施の形態１における表示装置４０のコンテンツ制御部４３０の構成の一例を模式的に示すブロック図である。
【００７６】
図６に示すように、表示装置４０は、リスト制御部４１０と、サムネイル制御部４２０と、コンテンツ制御部４３０と、設定部４４０と、表示部４５０と、通信ＩＦ４６０と、を備える。
【００７７】
リスト制御部４１０は、コンテンツ受信装置１０が保有しているコンテンツのリストをコンテンツ受信装置１０またはサーバ３０から取得し、取得したリストが適切な表現形式で表示部４５０に表示されるように表示部４５０を制御する。以下、リスト制御部４１０について、図７を用いて説明する。
【００７８】
リスト制御部４１０は、リスト要求送信部４１１と、リスト取得部４１２と、リスト表示制御部４１３と、を備える。
【００７９】
リスト要求送信部４１１は、コンテンツ受信装置１０が保有しているコンテンツのリストを要求する取得要求を送信する。その取得要求は、リスト要求送信部４１１からサーバ３０へ送信されてもよく、あるいは、リスト要求送信部４１１からコンテンツ受信装置１０のリスト要求受信部１３１（図３参照）へ送信されてもよい。コンテンツのリストの取得要求がリスト要求送信部４１１からサーバ３０へ送信される場合、サーバ３０は、コンテンツ受信装置１０が保有するコンテンツのリストであって、サーバ３０が保有しているリストを、その取得要求に応じて表示装置４０に送信してもよく、あるいは、その取得要求をコンテンツ受信装置１０に転送（送信）してもよい。その取得要求をサーバ３０からコンテンツ受信装置１０に転送する場合、サーバ３０は、その取得要求に応じてコンテンツ受信装置１０から送信されてくる情報を受信して表示装置４０に転送する。
【００８０】
このように、リスト要求送信部４１１からサーバ３０にコンテンツのリストの取得要求が送信される場合、表示装置４０は、サーバ３０との間で通信を行えばよく、コンテンツ受信装置１０と通信を行う必要がない。そのため、表示装置４０は、その取得要求を送信してから、その取得要求に対応したコンテンツのリストを取得するまでの時間を、相対的に短縮することができる。
【００８１】
リスト取得部４１２は、リスト要求送信部４１１から送信されたコンテンツのリストの取得要求に応じてコンテンツ受信装置１０またはサーバ３０から表示装置４０に送信されるリストであって、コンテンツ受信装置１０が保有しているコンテンツのリスト、を取得する。リスト取得部４１２は、第二受信部の一例である。
【００８２】
リスト表示制御部４１３は、リスト取得部４１２が取得した、コンテンツ受信装置１０が保有しているコンテンツのリストを表す画像が、表示部４５０に適切に表示されるように、表示部４５０を制御する。
【００８３】
サムネイル制御部４２０は、コンテンツ受信装置１０が保有しているコンテンツのサムネイルを、コンテンツ受信装置１０から通信ＩＦ４６０を介して受信し、受信したサムネイルが表示部４５０に適切に表示されるようにリスト制御部４１０を制御する。以下、サムネイル制御部４２０について、図８を用いて説明する。
【００８４】
サムネイル制御部４２０は、サムネイル要求送信部４２１と、サムネイル受信部４２２と、サムネイル表示指示部４２３と、を有する。
【００８５】
サムネイル要求送信部４２１は、コンテンツ受信装置１０が保有しているコンテンツのサムネイルをコンテンツ受信装置１０に要求する。すなわち、サムネイル要求送信部４２１は、リスト制御部４１０が取得したリストに含まれるコンテンツＩＤに対応するコンテンツのそれぞれのサムネイルを取得するために、通信ＩＦ４６０を介してコンテンツ受信装置１０のサムネイル要求受信部１４１（図４参照）に、サムネイルの取得要求を送信する。
【００８６】
なお、サムネイル要求送信部４２１がサムネイルの取得要求を送信するタイミングは、いつでもよい。例えば、リスト表示制御部４１３が表示部４５０にコンテンツのリストを表す画像を表示した後に、サムネイル要求送信部４２１がサムネイルの取得要求を送信してもよい。また、この送信のタイミングをリスト表示制御部４１３からサムネイル要求送信部４２１に知らせるために、例えば、リスト表示制御部４１３が、サムネイル要求送信部４２１に対して、サムネイルの取得を行うよう要求する制御信号を送信してもよい。この場合、サムネイル要求送信部４２１は、その制御信号を受信した後に、コンテンツ受信装置１０にサムネイルの取得要求を送信する。
【００８７】
なお、サムネイル要求送信部４２１は、その取得要求の対象であるサムネイルが、そのサムネイルに対応するコンテンツの提供元（例えば、放送局、等）から提供されるか否かを判定してもよい。そして、サムネイル要求送信部４２１は、コンテンツの提供元からサムネイルが提供されると判定した場合に、コンテンツの提供元にサムネイルの取得要求を送信し、その提供元からサムネイルを取得してもよい。また、コンテンツの提供元からサムネイルは提供されないと判定した場合に、コンテンツ受信装置１０にサムネイルの取得要求を送信してもよい。
【００８８】
また、サムネイル要求送信部４２１は、コンテンツのリストを表す画像として表示部４５０に表示中のサムネイルを、定期的に更新してもよい。具体的には、サムネイル要求送信部４２１は、表示部４５０に表示中のサムネイルに関して、新たにサムネイルの取得要求を送信することで、新たなサムネイルを受信し、表示部４５０に表示中のサムネイルを、受信したサムネイルに更新してもよい。また、新たなサムネイルの取得要求の送信を、定期的に（例えば、数秒程度おきに）繰り返してもよい。
【００８９】
なお、サムネイル要求送信部４２１は、サムネイルについての、動画または静止画を指定するユーザ指定を受け付けた場合には、サムネイルの取得要求に、そのユーザ指定を含めてもよい。
【００９０】
サムネイル受信部４２２は、サムネイル要求送信部４２１から送信されたサムネイルの取得要求に応じてコンテンツ受信装置１０から送信されるサムネイル、を受信する。サムネイル受信部４２２は、第二受信部の一例である。
【００９１】
サムネイル表示指示部４２３は、サムネイル受信部４２２が受信したサムネイルの表示に関する制御を、リスト制御部４１０に対して行う。具体的には、サムネイル表示指示部４２３は、サムネイル受信部４２２が受信したサムネイルを、リスト表示制御部４１３が表示部４５０を制御して表示部４５０に表示する画像に含めるように、リスト制御部４１０に指示する。この指示により表示部４５０に表示される画像の例は、図１１を用いて後述する。
【００９２】
なお、サムネイル制御部４２０は、図８に破線で示すように、サムネイル記憶部４２５を備えていてもよい。サムネイル記憶部４２５は、サムネイル受信部４２２が受信したサムネイルを一時的に保持する記憶装置である。サムネイル記憶部４２５は、例えば半導体記憶素子、であるが、ＨＤＤ等であってもよい。サムネイル制御部４２０がサムネイル記憶部４２５を備える場合、サムネイル受信部４２２は、受信したサムネイルをサムネイル記憶部４２５に保存することができる。これにより、サムネイル要求送信部４２１は、サムネイルの取得要求を送信する前に、サムネイル記憶部４２５に保存されているサムネイルを参照し、取得要求の対象であるサムネイルがサムネイル記憶部４２５に保存されているかどうかを確認することができる。
【００９３】
取得要求の対象であるサムネイルがサムネイル記憶部４２５に保存されている場合には、サムネイル要求送信部４２１は、サムネイルの取得要求を送信せず、サムネイル受信部４２２に対して、サムネイル記憶部４２５からそのサムネイルを取得するように指示してもよい。また、取得要求の対象であるサムネイルがサムネイル記憶部４２５に保存されていない場合にのみ、サムネイル要求送信部４２１は、サムネイルの取得要求を送信してもよい。さらに、取得要求の対象であるサムネイルがサムネイル記憶部４２５に保存されていたとしても、そのサムネイルが予め指定された時間より前に生成されたサムネイル（すなわち、古いサムネイル）であれば、サムネイル要求送信部４２１は、新たなサムネイルを取得するために、取得要求の対象であるサムネイルがサムネイル記憶部４２５に保存されていない場合と同様に動作してもよい。
【００９４】
サムネイル制御部４２０をこのように構成することで、サムネイルが送受信される頻度が低減するので、表示装置４０とコンテンツ受信装置１０との間の通信量を低減することができる。
【００９５】
コンテンツ制御部４３０は、コンテンツ受信装置１０が保有しているコンテンツを、コンテンツ受信装置１０から通信ＩＦ４６０を介して受信し、受信したコンテンツが表示部４５０に表示されるように、表示部４５０を制御する。以下、コンテンツ制御部４３０について、図９を用いて説明する。
【００９６】
コンテンツ制御部４３０は、コンテンツ要求送信部４３１と、コンテンツ取得部４３２と、コンテンツ再生部４３３と、を有する。
【００９７】
コンテンツ要求送信部４３１は、コンテンツ受信装置１０が保有しているコンテンツの取得要求をコンテンツ受信装置１０に送信する。コンテンツ要求送信部４３１は、リスト制御部４１０により表示部４５０に表示されたリストに含まれるコンテンツに関するユーザの指定を受け付ける。そして、コンテンツ要求送信部４３１は、通信ＩＦ４６０を介してコンテンツ受信装置１０のコンテンツ要求受信部１５１（図５参照）に、ユーザに指定されたコンテンツの取得要求を送信する。この場合、例えばサムネイル表示指示部４２３からサムネイルの表示に関する制御がリスト制御部４１０に行われた後に、サムネイル表示指示部４２３からコンテンツ要求送信部４３１に、コンテンツの取得要求を送信するタイミングを知らせるための制御信号が送信されてもよい。
【００９８】
なお、コンテンツ要求送信部４３１は、上述した画質情報を含むコンテンツの取得要求を送信してもよい。
【００９９】
コンテンツ取得部４３２は、コンテンツ要求送信部４３１から送信されたコンテンツの取得要求に応じてコンテンツ受信装置１０から送信されてくるコンテンツ、を通信ＩＦ４６０を介して受信する。
【０１００】
コンテンツ再生部４３３は、コンテンツ取得部４３２が受信したコンテンツを再生し、再生された静止画または動画が表示部４５０に適切に表示されるように表示部４５０を制御する。コンテンツ取得部４３２が受信したコンテンツはエンコードされているので、コンテンツ再生部４３３は、そのコンテンツをデコードして再生する。
【０１０１】
設定部４４０は、サムネイル制御部４２０またはコンテンツ制御部４３０に、動作に関する設定を行う。具体的には、設定部４４０は、サムネイル制御部４２０に対して、サムネイルの動画または静止画の指定を含む設定を行う。また、設定部４４０は、コンテンツ制御部４３０に対して、コンテンツの指定と、画質情報の指定と、を含む設定を行う。設定部４４０は、例えばそれらの設定および指定に関するユーザ指定を受け付け、受け付けたユーザ指定に基づく情報をサムネイル制御部４２０またはコンテンツ制御部４３０に設定することで、受け付けたユーザ指定を表示装置４０の動作に反映させる。
【０１０２】
表示部４５０は、画像を表示する表示パネルである。表示部４５０は、リスト制御部４１０のリスト表示制御部４１３（図７参照）からの制御に基づき、コンテンツのリストを含む画像を表示する。また、表示部４５０は、コンテンツ制御部４３０のコンテンツ再生部４３３（図９参照）からの制御に基づき、コンテンツ再生部４３３で再生されたコンテンツの画像を表示する。
【０１０３】
通信ＩＦ４６０は、ネットワーク５０と通信するための通信インタフェイスである。通信ＩＦ４６０は、通信ＩＦ１６０との間でＮＡＴ越え通信を行う。通信ＩＦ４６０は、ネットワーク５０との通信に適した種類の通信インタフェイスである。そのような種類の通信インタフェイスには、例えば、ＩＥＥＥ８０２．３に適合する有線ＬＡＮ、ＩＥＥＥ８０２．１１に適合する無線ＬＡＮ、等がある。
【０１０４】
通信ＩＦ４６０は、リスト制御部４１０、サムネイル制御部４２０、およびコンテンツ制御部４３０のそれぞれと、コンテンツ受信装置１０とが行う通信を、Ｐ２Ｐ通信で行うことができる。通信ＩＦ４６０は、サムネイル制御部４２０およびコンテンツ制御部４３０のそれぞれと、コンテンツ受信装置１０とが行う通信を、サーバ３０を介する通信で行ってもよい。
【０１０５】
以上のように構成されたコンテンツ受信システム１について、その動作を以下説明する。
【０１０６】
［１−２．動作］
図１０は、実施の形態１におけるコンテンツ受信システム１で実行される処理の一例を模式的に示すシーケンス図である。
【０１０７】
図１０に示すシーケンス図には、コンテンツ受信システム１において、コンテンツ受信装置１０で保有されているコンテンツのリストを表示装置４０が取得し、その後、そのリストに含まれるコンテンツを表示装置４０上で再生するまでの処理の流れが示されている。
【０１０８】
表示装置４０のリスト要求送信部４１１（図７参照）は、サーバ３０にコンテンツのリストの取得要求を送信する（ステップＳ１０１）。
【０１０９】
サーバ３０は、ステップＳ１０１で表示装置４０から送信されてくるコンテンツのリストの取得要求を受信すると、受信したその取得要求を、コンテンツ受信装置１０に転送（送信）する（ステップＳ１０２）。
【０１１０】
コンテンツ受信装置１０は、ステップＳ１０２でサーバ３０から転送されてくるコンテンツのリストの取得要求を受信すると、受信したその取得要求に基づき、コンテンツ受信装置１０が保有するコンテンツのリストをサーバ３０に送信する（ステップＳ１０３）。
【０１１１】
サーバ３０は、ステップＳ１０３でコンテンツ受信装置１０から送信されてくるコンテンツのリストを受信すると、受信したコンテンツのリストを、表示装置４０に送信する（ステップＳ１０４）。
【０１１２】
なお、サーバ３０は、ステップＳ１０１でサーバ３０が受信したコンテンツのリストの取得要求に応じて、サーバ３０が保有するリスト（コンテンツのリスト）を表示装置４０に送信してもよい（ステップＳ１０４）。その場合、ステップＳ１０２およびステップＳ１０３は実行されない。
【０１１３】
表示装置４０のリスト表示制御部４１３（図７参照）は、ステップＳ１０４でサーバ３０から送信されてくるコンテンツのリストを受信すると、受信したコンテンツのリストを表す画像を表示部４５０に表示する（ステップＳ１０５）。
【０１１４】
表示装置４０の通信ＩＦ４６０（図６参照）は、コンテンツ受信装置１０に対してＰ２Ｐ（Ｐｅｅｒ  ｔｏ  Ｐｅｅｒ）接続の要求を行う（ステップＳ１０６）。
【０１１５】
ステップＳ１０６におけるＰ２Ｐ接続の要求に基づき、表示装置４０とコンテンツ受信装置１０との間でＰ２Ｐ接続が確立する（ステップＳ１０７）。
【０１１６】
表示装置４０のサムネイル要求送信部４２１（図８参照）は、コンテンツ受信装置１０に、サムネイルの取得要求を送信する（ステップＳ１０８）。この取得要求は、ステップＳ１０７で接続が確立したＰ２Ｐ通信により行われる。
【０１１７】
コンテンツ受信装置１０のサムネイル生成部１４２（図４参照）は、コンテンツ受信装置１０が保有しているコンテンツのサムネイルを生成する（ステップＳ１０９）。
【０１１８】
コンテンツ受信装置１０のサムネイル送信部１４３（図４参照）は、ステップＳ１０８で受信されたサムネイルの取得要求に基づき、ステップＳ１０９で生成されたサムネイルを表示装置４０に送信する（ステップＳ１１０）。
【０１１９】
表示装置４０のリスト表示制御部４１３（図７参照）は、ステップＳ１０９で取得したサムネイルを、表示部４５０に表示する（ステップＳ１１１）。このとき、表示装置４０は、ステップＳ１０５で表示したコンテンツのリストの中で、コンテンツを示す箇所に、そのコンテンツに対応するサムネイルを表示する。
【０１２０】
表示装置４０の設定部４４０（図６参照）は、ユーザによるコンテンツの選択操作を受け付ける（ステップＳ１２１）。
【０１２１】
例えば、表示部４５０がタッチパネルを備えていれば、ユーザは、表示部４５０に表示されたサムネイルのうちの１つに触れることで、そのサムネイルに対応するコンテンツを選択することができる。あるいは、表示装置４０に備えられたユーザーインターフェース（図示せず、例えば、キー、ボタン、タッチパッド、ポインティングデバイス、等）をユーザが操作してカーソルを移動し、そのカーソルを、表示部４５０に表示されたサムネイルのうちの１つの上に重ねる等して、ユーザの選択操作が行われてもよい。
【０１２２】
表示装置４０のコンテンツ要求送信部４３１（図９参照）は、ステップＳ１２１でユーザにより選択されたコンテンツ（ユーザ指定されたコンテンツ）の取得要求を、コンテンツ受信装置１０に送信する（ステップＳ１２２）。
【０１２３】
コンテンツ受信装置１０のコンテンツ要求受信部１５１（図５参照）は、ステップＳ１２２で表示装置４０から送信されたコンテンツの取得要求を受信し、コンテンツ受信装置１０のコンテンツ送信部１５３（図５参照）は、そのコンテンツの取得要求に対応するコンテンツを、表示装置４０に送信する（ステップＳ１２３）。
【０１２４】
表示装置４０のコンテンツ取得部４３２（図９参照）は、ステップＳ１２３でコンテンツ受信装置１０から送信されたコンテンツを受信して取得し、表示装置４０のコンテンツ再生部４３３（図９参照）は、そのコンテンツを再生して表示部４５０に表示する（ステップＳ１２４）。
【０１２５】
上記の一連の処理により、コンテンツ受信システム１では、コンテンツ受信装置１０が保有しているコンテンツのリストを、表示装置４０が取得して表示部４５０に表示することができる。そして、表示装置４０は、そのリストに含まれるコンテンツのうち、ユーザに指定されたコンテンツをコンテンツ受信装置１０から取得し、取得したコンテンツを再生して表示部４５０に表示することができる。
【０１２６】
すなわち、ユーザは、コンテンツ受信装置１０が保有している複数のコンテンツの中から、ユーザが、表示装置４０の表示部４５０に表示されるサムネイルに基づき指定したコンテンツを、表示装置４０の表示部４５０上で視聴することができる。
【０１２７】
次に、表示装置４０の表示部４５０に表示されるコンテンツのリストについて説明する。
【０１２８】
図１１は、実施の形態１における表示装置４０に表示される画像１１０１の一例を示す図である。画像１１０１は、サムネイルを含むコンテンツのリストである。
【０１２９】
図１１に示すように、画像１１０１は、各コンテンツについて、そのコンテンツの題名等を示す部分１１０２と、そのコンテンツのサムネイルを示す部分１１０３と、を含む。
【０１３０】
部分１１０２には、そのコンテンツの題名が表示され、その他に、コンテンツの放送時刻、再生回数、録画に用いた機器、等の情報が、文字（テキスト）により表示されていてもよい。
【０１３１】
部分１１０３には、そのコンテンツのサムネイルが表示されている。また、部分１１０３は、部分１１０２の隣に表示されている。これは、部分１１０３が、部分１１０２が示すコンテンツのサムネイルであることを視覚的に示すためである。なお、部分１１０３は、必ずしも部分１１０２の隣に表示されなくてもよい。しかし、部分１１０２と部分１１０３とは、互いに関連があることがユーザに認識されやすい表示態様（例えば、部分１１０２と部分１１０３とを線で結ぶ、部分１１０２の文字の色または背景色と部分１１０３の枠の色とを同じ色または同系色の色にする、等）で表示されることが望ましい。
【０１３２】
このように、実施の形態１では、表示装置４０の表示部４５０には、コンテンツ毎に、コンテンツの題名等の文字による表示に加えて、サムネイルの画像が表示される。したがって、表示装置４０上でコンテンツ受信装置１０に記憶されたコンテンツを選択して視聴しようとするユーザは、視覚的に、より容易に、選択対象のコンテンツを確認することができる。
【０１３３】
［１−３．効果］
以上のように、本実施の形態におけるコンテンツ受信システムは、コンテンツ受信装置と、サーバと、表示装置と、を備える。コンテンツ受信装置は、コンテンツを受信する第一受信部と、リスト送信部と、サムネイル生成部と、サムネイル送信部と、を有する。リスト送信部は、第一受信部が受信したコンテンツを示す情報を含むリストを、サーバを経由して表示装置に送信する。サムネイル生成部は、第一受信部が受信したコンテンツのサムネイルを生成する。サムネイル送信部は、サムネイル生成部が生成したサムネイルを表示装置に送信する。表示装置は、第二受信部と、表示部と、を有する。第二受信部は、リスト送信部が送信したリストと、サムネイル送信部が送信したサムネイルと、を受信する。表示部は、第二受信部が受信したリストに含まれる情報に、第二受信部が受信したサムネイルのうち当該情報に対応するコンテンツのサムネイルを対応付けた画像、を表示する。
【０１３４】
このコンテンツ受信システムでは、コンテンツ受信装置は、取得したコンテンツのサムネイルを生成した後、生成したサムネイルを、サーバを経由せず、表示装置に直接送信する。
【０１３５】
仮に、サムネイルを、サーバが保持しサーバから表示装置へ供給するとすれば、サーバは、サムネイルを保存するために必要な記憶容量を備えた記憶装置を備えなければならない。また、コンテンツ受信装置からサーバへサムネイルを送信し、かつサーバから表示装置へサムネイルを送信することができる通信容量を備えた通信回線が必要となる。そして、サーバに接続されたコンテンツ受信装置の数が増えるほど、サムネイルを保存するのに必要な記憶装置の記憶容量は増大し、また、サムネイルの送受信に必要な通信回線の通信容量は増大する。
【０１３６】
本実施の形態に一例を示したコンテンツ受信システムでは、表示装置がコンテンツ受信装置からサムネイルを取得する一連の処理の中で、サーバはサムネイルを保存しなくてもよい。したがって、サーバに、サムネイルを保存するための記憶容量の大きい記憶装置を備えなくてもよい。また、サーバを接続する通信回線に、サムネイルの送受信に必要な通信容量の大きい通信回線を用いなくてもよい。したがって、本実施の形態に示したコンテンツ受信システムでは、サーバが備える記憶装置の記憶容量の増加を抑制することができ、またサーバを接続する通信回線の通信容量の増大を抑制することができる。
【０１３７】
なお、コンテンツ受信システム１はコンテンツ受信システムの一例である。コンテンツ受信装置１０はコンテンツ受信装置の一例である。サーバ３０はサーバの一例である。表示装置４０は表示装置の一例である。コンテンツ受信部１１０は第一受信部の一例である。リスト送信部１３３はリスト送信部の一例である。サムネイル生成部１４２はサムネイル生成部の一例である。サムネイル送信部１４３はサムネイル送信部の一例である。リスト取得部４１２は第二受信部の一例である。表示部４５０は表示部の一例である。画像１１０１は、表示部に表示される画像の一例である。
【０１３８】
（実施の形態２）
以下、図１２、図１３を用いて、実施の形態２を説明する。
【０１３９】
実施の形態２では、コンテンツ受信システムが、複数のコンテンツ受信装置を備える構成を説明する。
【０１４０】
なお、以下では、実施の形態１における構成要素または機能ブロックと実質的に同じ構成要素または機能ブロックには、同一の符号を付与し、詳細な説明を省略する。
【０１４１】
［２−１．構成］
図１２は、実施の形態２におけるコンテンツ受信システム２のシステム構成の一例を模式的に示す図である。
【０１４２】
図１２に示すように、コンテンツ受信システム２は、複数のコンテンツ受信装置（コンテンツ受信装置１０、コンテンツ受信装置１１、およびコンテンツ受信装置１５）と、複数の通信装置（通信装置２０、および通信装置２５）と、サーバ３０と、表示装置４１と、を備える。
【０１４３】
なお、コンテンツ受信システム２が備えるコンテンツ受信装置は何ら３台に限定されるものではなく、また、コンテンツ受信システム２が備える通信装置は何ら２台に限定されるものではない。
【０１４４】
図１２に示すサーバ３０は、実施の形態１に示したサーバ３０と実質的に同じであり、図１２に示すコンテンツ受信装置１０、１１、１５は、実施の形態１に示したコンテンツ受信装置１０と実質的に同じであり、図１２に示す通信装置２０、２５は、実施の形態１に示した通信装置２０と実質的に同じであるので、それぞれの詳細な説明は省略する。
【０１４５】
コンテンツ受信装置１０、１１のそれぞれは、通信装置２０に接続され、通信装置２０を介してネットワーク５０に接続されている。コンテンツ受信装置１０、１１のそれぞれは、通信装置２０のＮＡＴ機能を利用して、ネットワーク５０に接続された各装置と通信を行う。
【０１４６】
コンテンツ受信装置１５は、通信装置２５に接続され、通信装置２５を介してネットワーク５０に接続されている。コンテンツ受信装置１５は、通信装置２５のＮＡＴ機能を利用して、ネットワーク５０に接続された各装置と通信を行う。
【０１４７】
表示装置４１は、コンテンツ受信装置１０、１１、１５のそれぞれが保有する複数のコンテンツのリスト、および、それらのコンテンツのサムネイルを表示することで、ユーザに、コンテンツ受信装置１０、１１、１５のそれぞれが保有するコンテンツの一覧を提示することができる表示端末である。このように、図１２に示す表示装置４１は、実施の形態１に示した表示装置４０とは、複数のコンテンツ受信装置からコンテンツに関する情報を取得する点が異なる。しかし、その点を除き、表示装置４１は、実施の形態１に示した表示装置４０と実質的に同じである。
【０１４８】
すなわち、表示装置４１が、複数のコンテンツ受信装置のうちの１つのコンテンツ受信装置からコンテンツに関する情報を取得するときの動作は、実施の形態１で説明した動作と実質的に同じである。したがって、表示装置４１に関する詳細な説明は省略する。
【０１４９】
以上のように構成されたコンテンツ受信システム２について、その動作を以下説明する。
【０１５０】
［２−２．動作］
図１３は、実施の形態２における表示装置４１においてコンテンツに関する情報を取得する際の処理の一例を示すフローチャートである。
【０１５１】
図１３に示すフローチャートは、実施の形態１で図１０に示したステップＳ１０６からステップＳ１１１までの表示装置４０の処理に相当する。
【０１５２】
表示装置４１の通信ＩＦ４６０（図６参照）は、サムネイル要求送信部４２１（図８参照）から、サムネイルの取得先となるコンテンツ受信装置を指定する情報（以下、「装置ＩＤ」ともいう）を受け付ける（ステップＳ２０１）。この指定は、表示装置４１が、コンテンツ受信装置１０、１１、１５のうちのどのコンテンツ受信装置からサムネイルを受信するのか、を指定するものである。
【０１５３】
通信ＩＦ４６０は、コンテンツ受信装置１０、１１、１５のうちのいずれかのコンテンツ受信装置とＰ２Ｐ接続中であるか否かを判定する（ステップＳ２０２）。
【０１５４】
ステップＳ２０２で、Ｐ２Ｐ接続中であると判定された場合（ステップＳ２０２のＹｅｓ）、処理はステップＳ２０３に進み、Ｐ２Ｐ接続中でないと判定された場合（ステップＳ２０２のＮｏ）、処理はステップＳ２２２に進む。
【０１５５】
通信ＩＦ４６０は、Ｐ２Ｐ接続されたコンテンツ受信装置が、ステップＳ２０１で指定されたコンテンツ受信装置であるか否かを判定する（ステップＳ２０３）。
【０１５６】
ステップＳ２０３で、Ｐ２Ｐ接続されたコンテンツ受信装置はステップＳ２０１で指定されたコンテンツ受信装置であると判定された場合（ステップＳ２０３のＹｅｓ）、処理はステップＳ２０４に進む。そうではないと判定された場合（ステップＳ２０３のＮｏ）、通信ＩＦ４６０は、接続中のＰ２Ｐ接続を切断する（ステップＳ２２１）。ステップＳ２２１の後、処理はステップＳ２２２に進む。
【０１５７】
通信ＩＦ４６０は、ステップ２０１で指定されたコンテンツ受信装置とのＰ２Ｐ接続を行う（ステップＳ２２２）。
【０１５８】
通信ＩＦ４６０は、ステップ２２２でのＰ２Ｐ接続が成功したか否かを判定する（ステップＳ２２３）。
【０１５９】
ステップＳ２２３においてＰ２Ｐ接続は成功したと判定された場合（ステップＳ２２３のＹｅｓ）、処理はステップＳ２０４に進む。
【０１６０】
ステップＳ２２３においてＰ２Ｐ接続は成功しなかったと判定された場合（ステップＳ２２３のＮｏ）、通信ＩＦ４６０は、Ｐ２Ｐ接続のリトライ（再試行）を行うか否かを判定する（ステップＳ２２４）。
【０１６１】
ステップＳ２２４においてＰ２Ｐ接続のリトライを行うと判定された場合（ステップＳ２２４のＹｅｓ）、処理はステップＳ２２２に戻り、ステップＳ２２２以降の処理が実行される。
【０１６２】
ステップＳ２２４においてＰ２Ｐ接続のリトライは行わないと判定された場合（ステップＳ２２４のＮｏ）、処理は終了する。
【０１６３】
サムネイル制御部４２０（図６、図８参照）は、サムネイルを取得することを要求されたか否かを判定する（ステップＳ２０４）。なお、ステップＳ２０４の判定は、例えば、サムネイル制御部４２０がサムネイルを取得するための制御信号を受信したか否か、に基づき行われてもよい。
【０１６４】
ステップＳ２０４で、サムネイルの取得を要求されたと判定された場合（ステップＳ２０４のＹｅｓ）、サムネイル制御部４２０（図６、図８参照）は、Ｐ２Ｐ接続されたコンテンツ受信装置（例えば、コンテンツ受信装置１０）からサムネイルを取得する（ステップＳ２０５）。ステップＳ２０４で、サムネイルの取得を要求されていないと判定された場合（ステップＳ２０４のＮｏ）、処理はステップＳ２０６に進む。
【０１６５】
ステップＳ２０５では、サムネイル制御部４２０は、一度のＰ２Ｐ接続の間に、Ｐ２Ｐ接続されたコンテンツ受信装置から、取得すべきサムネイルを全て取得する。すなわち、表示装置４１がＰ２Ｐ接続されたコンテンツ受信装置は、サムネイル制御部４２０から要求された一つまたは複数のコンテンツのサムネイルを生成し、生成したサムネイルを表示装置４１に送信する。
【０１６６】
サムネイル制御部４２０は、Ｐ２Ｐ接続されたコンテンツ受信装置（例えば、コンテンツ受信装置１０）から、取得すべきサムネイルを全て取得した後、順次、他のコンテンツ受信装置（例えば、コンテンツ受信装置１１、１５）からサムネイルを取得する。また、表示部４５０は、取得されたサムネイルを表示部４５０（図６参照）に表示する。
【０１６７】
コンテンツ制御部４３０（図６、図９参照）は、コンテンツを取得することを要求されたか否かを判定する（ステップＳ２０６）。なお、ステップＳ２０６の判定は、例えば、コンテンツ制御部４３０がコンテンツを取得するための制御信号を受信したか否か、に基づき行われてもよい。
【０１６８】
ステップＳ２０６で、コンテンツの取得を要求されたと判定された場合（ステップＳ２０６のＹｅｓ）、コンテンツ制御部４３０は、Ｐ２Ｐ接続されたコンテンツ受信装置（例えば、コンテンツ受信装置１０）からコンテンツ（ユーザ指定されたコンテンツ）を取得し、コンテンツ再生部４３３（図９参照）は、取得したコンテンツを再生して表示部４５０に表示する（ステップＳ２０７）。ステップＳ２０６で、コンテンツの取得を要求されていないと判定された場合（ステップＳ２０６のＮｏ）、処理はステップＳ２０８に進む。
【０１６９】
通信ＩＦ４６０は、Ｐ２Ｐ接続を終了するか否かを判定する（ステップＳ２０８）。ステップＳ２０８において、通信ＩＦ４６０は、リスト制御部４１０が取得したリストに含まれる全てのコンテンツに関してサムネイルが取得された場合、Ｐ２Ｐ接続を終了する、と判定し、リスト制御部４１０が取得したリストに含まれるコンテンツのうち、サムネイルが取得されていないコンテンツがあれば、Ｐ２Ｐ接続を終了しないと判定する。
【０１７０】
ステップＳ２０８において、通信ＩＦ４６０はＰ２Ｐ接続を終了すると判定した場合（ステップＳ２０８のＹｅｓ）、通信ＩＦ４６０は、Ｐ２Ｐ接続を切断する（ステップＳ２０９）。これにより、図１３のフローチャートに示す一連の処理は終了する。
【０１７１】
ステップＳ２０８において、通信ＩＦ４６０はＰ２Ｐ接続を終了しないと判定した場合（ステップＳ２０８のＮｏ）、処理はステップＳ２０１に戻る。そして、表示装置４１は、未取得のサムネイルを取得するために、処理を継続する。
【０１７２】
なお、表示装置４１は、複数のコンテンツ受信装置のそれぞれとの間で、同時にＰ２Ｐ接続してもよい。すなわち、表示装置４１は、ステップＳ２２１の処理を実行せず、Ｐ２Ｐ接続の切断を行わない、ように動作してもよい。この場合、表示装置４１は、複数のコンテンツ受信装置のそれぞれと同時にＰ２Ｐ接続し、通信が必要なコンテンツ受信装置と、順次通信することができる。
【０１７３】
また、この場合、表示装置４１は、コンテンツ受信装置毎に順次サムネイルを取得してもよく、あるいは、平行して複数のコンテンツ受信装置から同時にサムネイルを取得してもよい。
【０１７４】
［２−３．効果］
以上のように構成された本実施の形態におけるコンテンツ受信システムでは、システムに接続される複数のコンテンツ受信装置は、取得したコンテンツのサムネイルを生成した後、生成したサムネイルを、サーバを経由せず、表示装置に直接送信する。
【０１７５】
仮に、サムネイルを、サーバが保持しサーバから表示装置へ供給するとすれば、サーバは、サムネイルを保存するために必要な記憶容量を備えた記憶装置を備えなければならない。また、コンテンツ受信装置からサーバへサムネイルを送信し、かつサーバから表示装置へサムネイルを送信することができる通信容量を備えた通信回線が必要となる。そして、サーバに接続されたコンテンツ受信装置の数が増えるほど、サムネイルを保存するのに必要な記憶装置の記憶容量は増大し、また、サムネイルの送受信に必要な通信回線の通信容量は増大する。
【０１７６】
本実施の形態に一例を示したコンテンツ受信システムでは、表示装置が複数のコンテンツ受信装置からサムネイルを取得する一連の処理の中で、サーバはサムネイルを保存しなくてもよい。したがって、サーバに、サムネイルを保存するための記憶容量の大きい記憶装置を備えなくてもよい。また、サーバを接続する通信回線に、サムネイルの送受信に必要な通信容量の大きい通信回線を用いなくてもよい。したがって、本実施の形態に示したコンテンツ受信システムでは、サーバが備える記憶装置の記憶容量の増加を抑制することができ、またサーバを接続する通信回線の通信容量の増大を抑制することができる。
【０１７７】
（実施の形態３）
実施の形態３では、実施の形態１、２で説明したコンテンツ受信システムの必須の構成要素について説明する。
【０１７８】
［３−１．構成］
図１４は、実施の形態３におけるコンテンツ受信システム３のシステム構成の一例を模式的に示す図である。
【０１７９】
図１４に示すように、コンテンツ受信システム３は、コンテンツ受信装置１０Ａと、サーバ３０Ａと、コンテンツ受信装置１０Ａが取得したコンテンツを表示するための表示装置４０Ａと、を備える。サーバ３０は、情報を中継する中継部３０１Ａを有する。コンテンツ受信装置１０Ａは、コンテンツを受信する第一受信部１０１Ａと、リスト送信部１０３Ａと、第一受信部１０１Ａが受信したコンテンツのサムネイルを生成するサムネイル生成部１０２Ａと、サムネイル生成部１０２Ａが生成したサムネイルを表示装置４０Ａに送信するサムネイル送信部１０４Ａと、を有する。リスト送信部１０３Ａは、第一受信部１０１Ａが受信したコンテンツを示す情報を含むリストを、中継部３０１Ａによる中継を介して表示装置４０Ａに送信する。表示装置４０Ａは、第二受信部４０１Ａと、表示部４０２Ａとを有する。第二受信部４０１Ａは、リスト送信部１０３Ａが送信したリストと、サムネイル送信部１０４Ａが送信したサムネイルと、を受信する。表示部４０２Ａは、第二受信部４０１Ａが受信したリストに含まれる情報に、第二受信部４０１Ａが受信したサムネイルのうち当該情報に対応するコンテンツのサムネイルを対応付けた画像、を表示する。
【０１８０】
［３−２．効果］
これにより、コンテンツ受信装置は、取得したコンテンツのサムネイルを生成した後、生成したサムネイルを、サーバを経由せず、表示装置に直接送信することができる。
【０１８１】
仮に、サムネイルを、サーバが保持しサーバから表示装置へ供給するとすれば、サーバは、サムネイルを保存するために必要な記憶容量を備えた記憶装置を備えなければならない。また、コンテンツ受信装置からサーバへサムネイルを送信し、かつサーバから表示装置へサムネイルを送信することができる通信容量を備えた通信回線が必要となる。そして、サーバに接続されたコンテンツ受信装置の数が増えるほど、サムネイルを保存するのに必要な記憶装置の記憶容量は増大し、また、サムネイルの送受信に必要な通信回線の通信容量は増大する。
【０１８２】
本実施の形態に一例を示したコンテンツ受信システムでは、表示装置がコンテンツ受信装置からサムネイルを取得する一連の処理の中で、サーバはサムネイルを保存しなくてもよい。したがって、サーバに、サムネイルを保存するための記憶容量の大きい記憶装置を備えなくてもよい。また、サーバを接続する通信回線に、サムネイルの送受信に必要な通信容量の大きい通信回線を用いなくてもよい。したがって、本実施の形態に示したコンテンツ受信システムでは、サーバが備える記憶装置の記憶容量の増加を抑制することができ、またサーバを接続する通信回線の通信容量の増大を抑制することができる。
【０１８３】
（実施の形態４）
実施の形態４では、放送波等から取得されるコンテンツの一覧としてサムネイルをユーザに提供する際のユーザの利便性を向上するのに有効なコンテンツ受信装置について説明する。本実施の形態に示すコンテンツ受信装置は、サムネイルの取得要求を受信してからサムネイルを送信するまでに要する時間を短縮することで、ユーザの利便性の向上を図る。
【０１８４】
以下、図１５〜図２０を用いて、実施の形態４を説明する。
【０１８５】
なお、以下では、実施の形態１〜３で説明した構成要素または機能ブロックと実質的に同じ構成要素または機能ブロックには、同一の符号を付与し、詳細な説明を省略する。
【０１８６】
［４−１．構成］
図１５は、実施の形態４におけるコンテンツ受信システム４のシステム構成の一例を模式的に示す図である。
【０１８７】
図１５に示すように、コンテンツ受信システム４は、コンテンツ受信装置１０Ｂと、表示装置４０と、を備える。コンテンツ受信装置１０Ｂおよび表示装置４０は、それぞれがネットワーク５０に接続されており、相互に通信可能である。
【０１８８】
なお、コンテンツ受信システム４は、コンテンツ受信装置１０Ｂとネットワーク５０との間の通信経路上に通信装置２０を備えていてもよく、また、ネットワーク５０に接続されたサーバ３０を備えていてもよい。ただし、コンテンツ受信システム４において、通信装置２０、サーバ３０は必須の構成要素ではない。
【０１８９】
図１６は、実施の形態４におけるコンテンツ受信装置１０Ｂの構成の一例を模式的に示すブロック図である。
【０１９０】
図１６に示すように、コンテンツ受信装置１０Ｂは、コンテンツ受信部１１０Ｂと、リスト制御部１３０Ｂと、サムネイル制御部１４０Ｂと、コンテンツ制御部１５０と、通信ＩＦ１６０と、を備える。
【０１９１】
コンテンツ受信部１１０Ｂ、リスト制御部１３０Ｂ、およびサムネイル制御部１４０Ｂのそれぞれは、実施の形態１で説明したコンテンツ受信部１１０、リスト制御部１３０、およびサムネイル制御部１４０と実質的に同じ機能を有し、さらに、それらの機能ブロックが備えていない機能も有する。以下、それらの機能について説明する。
【０１９２】
なお、コンテンツ受信装置１０Ｂが備えるコンテンツ制御部１５０および通信ＩＦ１６０は、実施の形態１で説明したコンテンツ制御部１５０および通信ＩＦ１６０と実質的に同じであるので、詳細な説明を省略する。
【０１９３】
コンテンツ受信部１１０Ｂは、実施の形態１で説明したコンテンツ受信部１１０と同様に、放送局から放送されている放送波からコンテンツを取得できるように構成されている。また、コンテンツ受信部１１０Ｂは、コンテンツ受信部１１０Ｂで受信できる放送局のリストを予め保有しており、このリストに含まれる放送局のコンテンツのサムネイルを予め生成することができる。
【０１９４】
コンテンツ受信部１１０Ｂは、アンテナ１１１と、チューナ１１２と、コンテンツ取得部１１３と、チャンネル設定部１１４Ｂと、を有する。
【０１９５】
アンテナ１１１は、コンテンツを含む放送波を受信するためのアンテナ回路である。アンテナ１１１は、例えば、地上波デジタル放送、ＢＳ（Ｂｒｏａｄｃａｓｔｉｎｇ  Ｓａｔｅｌｌｉｔｅ）放送、またはＣＳ（Ｃｏｍｍｕｎｉｃａｔｉｏｎ  Ｓａｔｅｌｌｉｔｅ）放送、等の各放送波を受信することができる。以下、地上波デジタル放送、ＢＳ放送、ＣＳ放送、等の放送方式の異なる放送波のそれぞれを、「チューナソース」ともいう。すなわち、地上波デジタル放送はチューナソースの一例であり、ＢＳ放送はチューナソースの一例であり、ＣＳ放送はチューナソースの一例である。なお、放送波を受信するアンテナ１１１に代えて、放送信号を送信するためのケーブルを介して送信されてくるケーブルテレビ放送の放送信号を受信するケーブルモデムが用いられてもよい。
【０１９６】
チューナ１１２は、アンテナ１１１が受信した放送波から、所定の周波数帯域（以下、「チャンネル」ともいう）の放送信号を復調する復調回路である。所定のチャンネルは、例えば、ユーザに指定されたチャンネルや、録画予約（または視聴予約）されたチャンネル、等であってもよい。チューナ１１２が復調の対象とするチャンネルは、例えば、チャンネル番号（例えば、１３チャンネル、２６チャンネル、等）により特定される。チューナ１１２が復調の対象とするチャンネルのチャンネル番号は、チャンネル設定部１１４Ｂが設定し、または変更する。
【０１９７】
コンテンツ取得部１１３は、チューナ１１２が復調した放送信号からコンテンツを取得する処理部である。
【０１９８】
チャンネル設定部１１４Ｂは、チューナ１１２が復調する、放送波におけるチャンネルを、チューナ１１２に設定する処理部である。チャンネル設定部１１４Ｂは、コンテンツ受信部１１０Ｂが受信できる放送局の一覧、すなわち、チューナ１１２が復調できるチャンネルの一覧、を復調リストとして予め保有している。チャンネル設定部１１４Ｂは、復調リストに含まれる各チャンネルのチャンネル番号を、順次、チューナ１１２に設定するとともに、その設定を行った後（例えば、その設定から所定時間が経過した後）、サムネイル生成部１４２Ｂに、サムネイルの生成を促す通知を送る。
【０１９９】
リスト制御部１３０Ｂは、コンテンツ受信部１１０Ｂが受信できるチャンネルのリストを、表示装置４０に、通信ＩＦ１６０を介して送信する。そのチャンネルのリストは、チャンネルに対応付けられた放送局のリストでもあるので、以下、「放送局リスト」ともいう。リスト制御部１３０Ｂの詳細は、図１８を用いて後述する。
【０２００】
サムネイル制御部１４０Ｂは、コンテンツ受信部１１０Ｂがコンテンツを受信して生成したサムネイルを、表示装置４０から送信されるサムネイルの取得要求に応じて、表示装置４０へ、通信ＩＦ１６０を介して送信する。具体的には、サムネイル制御部１４０Ｂは、１つの放送局を特定する特定情報を含むサムネイルの取得要求を、表示装置４０から受信する。そして、サムネイル制御部１４０Ｂは、受信したサムネイルの取得要求に基づき、その特定情報により特定される１つの放送局から放送されるコンテンツのサムネイルを、表示装置４０に送信する。
【０２０１】
サムネイル制御部１４０Ｂは、サムネイル要求受信部１４１と、サムネイル生成部１４２Ｂと、サムネイル送信部１４３と、を有する。
【０２０２】
サムネイル要求受信部１４１は、サムネイルの取得要求を、表示装置４０から、通信ＩＦ１６０を介して受信する処理部である。
【０２０３】
サムネイル要求受信部１４１は、情報変換部１４４と、読出し部１４５と、を有する。
【０２０４】
サムネイル要求受信部１４１でサムネイルの取得要求が受信されると、読出し部１４５は、その取得要求に基づき、サムネイル記憶部１４６からサムネイルを読み出す。そして、サムネイル要求受信部１４１は、サムネイル記憶部１４６から読み出したサムネイルを、サムネイル送信部１４３および通信ＩＦ１６０を介して表示装置４０に送信する。
【０２０５】
実施の形態１で説明したように、サムネイルの取得要求には、特定情報が含まれていてもよい。サムネイルの取得要求に特定情報が含まれる場合、サムネイル要求受信部１４１の読出し部１４５は、その特定情報により特定される放送局に対応するサムネイルを、サムネイル記憶部１４６から読み出す。なお、「放送局に対応するサムネイル」とは、その放送局から放送されているコンテンツのサムネイルのことである。
【０２０６】
情報変換部１４４は、サムネイル要求受信部１４１が受信したサムネイルの取得要求に含まれる特定情報を、サムネイル生成部１４２Ｂからサムネイルを取得するのに適した形式の情報に変換する処理部である。この、サムネイル生成部１４２Ｂからサムネイルを取得するのに適した形式の情報、とは、例えば、チャンネル番号である。すなわち、情報変換部１４４は、表示装置４０から送信されてきたサムネイルの取得要求に含まれる放送局を特定する特定情報が、チャンネル番号でない場合に、その特定情報をチャンネル番号に変換する。
【０２０７】
サムネイル要求受信部１４１は、情報変換部１４４で変換されたチャンネル番号を用いて、サムネイル生成部１４２Ｂからサムネイルを取得する。
【０２０８】
サムネイル生成部１４２Ｂは、コンテンツ取得部１１３が取得した複数のコンテンツのそれぞれのサムネイルを生成する。サムネイルの生成方法は実施の形態１で説明した通りである。サムネイル生成部１４２Ｂは、チャンネル設定部１１４Ｂから送られてくる通知（サムネイルの生成を促す通知）を受けて、サムネイルを生成する。そして、サムネイル生成部１４２Ｂは、生成したサムネイルをサムネイル記憶部１４６に保存する。
【０２０９】
サムネイル記憶部１４６は、サムネイル生成部１４２Ｂが生成したサムネイルを保存する記憶装置である。サムネイル記憶部１４６は、記憶部の一例である。コンテンツ受信装置１０Ｂは、独立した記憶装置（例えば、ＨＤＤまたは半導体記憶素子）としてサムネイル記憶部１４６を備えていてもよく、あるいは、コンテンツ受信装置１０Ｂが備える記憶部１２０（図２参照。図１６には図示せず）の一部をサムネイル記憶部１４６として用いてもよい。
【０２１０】
なお、チューナ１１２が復調するチャンネルの一覧は、チューナソース毎にグループ化されていてもよい（例えば、地上波デジタル放送に関するチャンネルの一覧、ＢＳ放送に関するチャンネルの一覧、ＣＳ放送に関するチャンネルの一覧、等）。また、チャンネルのそれぞれに、または、チューナソースのそれぞれに、サムネイルの更新頻度が設定されてもよい。具体的な一例を挙げると、例えば、地上波デジタル放送のサムネイルは毎回（すなわち、地上波デジタル放送に関するサムネイルの取得要求が表示装置４０から送信されてくる毎に）更新されるように更新頻度が設定されてもよい。あるいは、ＢＳ放送のサムネイルは２回に１回の割合で更新される（すなわち、コンテンツ受信装置１０Ｂは、表示装置４０から送信されてくるＢＳ放送に関するサムネイルの取得要求を、２回受信したら、そのサムネイルを１回更新する）ように更新頻度が設定されてもよい。このようにサムネイルの更新頻度が設定可能であれば、表示装置４０に表示されるサムネイルの更新頻度を、ユーザの利用頻度に応じて変化させることができ、ユーザの利便性を向上することができる。
【０２１１】
サムネイル送信部１４３は、サムネイル生成部１４２Ｂが生成したサムネイルを、表示装置４０に、通信ＩＦ１６０を介して送信する。具体的には、サムネイル送信部１４３は、サムネイル要求受信部１４１が受信した特定情報により特定されるチャンネル番号に対応するサムネイルを、読出し部１４５を介してサムネイル記憶部１４６から取得する。そして、取得したサムネイルを、表示装置４０から送信されてきたサムネイルの取得要求に対する応答として、サムネイルの取得要求の送信元である表示装置４０に送信する。なお、サムネイル送信部１４３は、送信部の一例である。
【０２１２】
なお、サムネイル要求受信部１４１が受信したサムネイルの取得要求に含まれる特定情報に、複数のチャンネルを特定する情報が含まれる場合には、サムネイル送信部１４３は、それら複数のチャンネルのそれぞれに対応する複数のサムネイルをサムネイル記憶部１４６から取得して表示装置４０に送信してもよい。
【０２１３】
なお、サムネイル送信部１４３は、複数のサムネイルを送信するときには、複数のサムネイルを１つずつ順次送信してもよく、あるいは、複数のサムネイルを収めた１つの電子ファイルを生成してその電子ファイルを送信してもよい。サムネイル送信部１４３は、例えば、複数のサムネイルのそれぞれを画像フレームとして有する１つのアニメーションＧＩＦファイルまたは動画ファイルを生成し、そのファイルを送信してもよい。
【０２１４】
表示装置４０は、リスト制御部１３０Ｂが送信する放送局リストを受信して表示部４５０に表示する。このとき、表示装置４０は、サムネイル送信部１４３から送信されて受信したサムネイルを、放送局リストを表す画像に重畳して表示部４５０に表示する。表示装置４０は、表示部４５０に表示されているサムネイルを、実施の形態１で説明したように、定期的に更新してもよい。
【０２１５】
なお、コンテンツ受信装置１０Ｂは、チューナ１１２を複数備えていてもよい。そのように構成されたコンテンツ受信装置１０Ｂでは、コンテンツ取得部１１３が、複数のチャンネルの放送波から複数のコンテンツを同時に取得することができる。そして、サムネイル生成部１４２は、コンテンツ受信部１１０Ｂからそれらのコンテンツを取得して、複数のチャンネルのそれぞれに対応する複数のサムネイルを生成することができる。
【０２１６】
図１７は、実施の形態４におけるコンテンツ受信装置１０Ｂのサムネイル記憶部１４６に保存される付属情報の一例を模式的に示す図である。
【０２１７】
付属情報は、サムネイル記憶部１４６に保存されているサムネイルに関連する情報であって、サムネイルを特定可能な情報の一覧を示す情報である。付属情報は、読出し部１４５が、特定情報により特定される放送局に対応するサムネイルがサムネイル記憶部１４６に保存されているか否かを確認するとき、およびサムネイルを読み出すとき、に用いられる。
【０２１８】
付属情報は、生成日時と、チャンネル番号と、ファイルパスと、を含むレコードを１以上含む。図１７に示す例では、１つの行が１つのレコードに対応する。そして、１つのレコードは、１つのサムネイルに対応付けられている。
【０２１９】
生成日時は、そのレコードが対応付けられているサムネイルが生成された日時を示す情報である。日時を示す文字列はどのようなものであってもよい。例えば、サムネイルが生成された日時の西暦年、月、日、時、分、秒を示す数値を連結させたものが使用されてもよい。図１７の１行目に示すレコードの例では、生成日時「２０１４１２１０１２３０１５」は、サムネイルが生成された日時が２０１４年１２月１０日１２時３０分１５秒であることを示している。
【０２２０】
チャンネル番号は、そのレコードが対応付けられているサムネイルが示すコンテンツを放送したチャンネルのチャンネル番号を示す情報である。図１７の１行目に示すレコードの例では、チャンネル番号「８」は、そのレコードが対応付けられているサムネイルが示すコンテンツが８チャンネルで放送されたことを示している。
【０２２１】
ファイルパスは、そのレコードが対応付けられているサムネイルが保存されている場所（すなわち、サムネイル記憶部１４６において、そのサムネイルが保存されている場所）、およびそのサムネイルのファイル名を示す情報である。
【０２２２】
以上のように構成されたコンテンツ受信システム４について、その動作を以下説明する。
【０２２３】
［４−２．動作］
図１８は、実施の形態４におけるコンテンツ受信システム４で実行される処理の一例を模式的に示すシーケンス図である。
【０２２４】
図１８は、コンテンツ受信システム４において、コンテンツ受信装置１０Ｂで受信可能な放送局のリストが表示装置４０上でユーザに示され、そのリストに基づきユーザ指定された放送局から放送されているコンテンツが表示装置４０で再生されて表示部４５０（図６参照）に表示されるときの一連の処理を示したものである。なお、実施の形態１で説明したコンテンツ受信システム１の処理（図１０参照）と実質的に同じ処理には同じ符号を付与し、詳細な説明を省略する。
【０２２５】
図１０で説明した処理と同様の処理により、表示装置４０とコンテンツ受信装置１０Ｂとの間でＰ２Ｐ接続が確立する（ステップＳ１０６、ステップＳ１０７）。なお、ステップＳ１０７以降の表示装置４０とコンテンツ受信装置１０Ｂとの間の通信は、このＰ２Ｐ接続を通じて行われる。
【０２２６】
表示装置４０のリスト要求送信部４１１（図６、図７参照）は、コンテンツ受信装置１０Ｂに放送局リストの取得要求を送信する（ステップＳ３０１）。
【０２２７】
ステップＳ３０１で表示装置４０が送信する放送局リストの取得要求は、コンテンツ受信装置１０Ｂで受信可能なチャンネルの一覧（コンテンツ受信装置１０Ｂで受信可能な放送局の一覧）を示す放送局リスト、を表示装置４０がコンテンツ受信装置１０Ｂから取得するための要求（リクエスト）である。そして、コンテンツ受信装置１０Ｂは、ステップＳ３０１で表示装置４０から送信された放送局リストの取得要求を受信する。
【０２２８】
コンテンツ受信装置１０Ｂのリスト制御部１３０Ｂ（図１６参照）は、ステップＳ３０１で受信した放送局リストの取得要求に応じて、放送局リストを表示装置４０に送信する（ステップＳ３０２）。
【０２２９】
表示装置４０は、ステップＳ３０２でコンテンツ受信装置１０Ｂから送信された放送局リストを受信する。なお、放送局リストは、地上波デジタル放送用のリスト、ＢＳ放送用のリスト、というように、チューナソース毎に異なるリストであってもよい。
【０２３０】
表示装置４０のリスト表示制御部４１３（図６、図７参照）は、ステップＳ３０２で受信した放送局リストを表示部４５０に表示する（ステップＳ３０３）。表示部４５０に表示される放送局リストの例は、図１９を用いて後述する。
【０２３１】
表示装置４０のサムネイル要求送信部４２１（図６、図８参照）は、コンテンツ受信装置１０Ｂにサムネイルの取得要求を送信する（ステップＳ１０８）。
【０２３２】
コンテンツ受信装置１０Ｂのサムネイル制御部１４０Ｂが有するサムネイル要求受信部１４１（図１６参照）は、ステップＳ１０８で表示装置４０から送信されたサムネイルの取得要求を受信する。そのサムネイルの取得要求には、１つの放送局を特定する特定情報が含まれている。
【０２３３】
コンテンツ受信装置１０Ｂのコンテンツ受信部１１０Ｂおよびサムネイル制御部１４０Ｂのサムネイル生成部１４２Ｂ（図１６参照）は、コンテンツ受信部１１０Ｂで受信できる放送局から放送されているコンテンツのサムネイルを生成する（ステップＳ１０９Ａ）。ステップ１０９Ａの詳細は、図２０を用いて後述する。なお、ステップＳ１０９Ａは、ステップＳ１０９Ｂより前であれば、いつ実行されてもよい。
【０２３４】
サムネイル要求受信部１４１でサムネイルの取得要求が受信されると、サムネイル制御部１４０Ｂのサムネイル送信部１４３（図１６参照）は、そのサムネイルの取得要求に応じて、ステップＳ１０９Ａで生成されたサムネイルを表示装置４０に送信する（ステップＳ１０９Ｂ、ステップＳ１１０）。ステップ１０９Ｂの詳細は、図２１を用いて後述する。
【０２３５】
表示装置４０のリスト表示制御部４１３（図６、図７参照）は、ステップＳ１１０で取得したサムネイルを表示部４５０に表示する（ステップＳ１１１）。
【０２３６】
このとき、表示装置４０のリスト表示制御部４１３は、ステップＳ３０３で表示した放送局リストの中で、特定情報により特定される放送局に対応する箇所に、ステップＳ１１０で取得したサムネイルを表示する。
【０２３７】
表示装置４０の設定部４４０（図６参照）は、表示部４５０に表示中の放送局リストに基づきユーザが行う入力操作（放送局の選択操作）を受け付ける（ステップＳ１２１Ａ）。このときユーザが行う入力操作は、実施の形態１の図１０に示すステップＳ１２１で説明した入力操作と実質的に同じであるので説明を省略する。
【０２３８】
表示装置４０のコンテンツ要求送信部４３１（図６、図９参照）は、ステップＳ１２１Ａでユーザにより選択された放送局から放送されているコンテンツの取得要求を、コンテンツ受信装置１０Ｂに送信する（ステップＳ１２２）。
【０２３９】
コンテンツ受信装置１０Ｂのコンテンツ要求受信部１５１（図２、図５参照）は、ステップＳ１２２で表示装置４０から送信されたコンテンツの取得要求を受信する。コンテンツ受信装置１０Ｂのコンテンツ送信部１５３（図２、図５参照）は、そのコンテンツの取得要求に対応するコンテンツを、表示装置４０に送信する（ステップＳ１２３）。
【０２４０】
表示装置４０のコンテンツ取得部４３２（図６、図９参照）は、ステップＳ１２３でコンテンツ受信装置１０Ｂから送信されたコンテンツを受信して取得する。表示装置４０のコンテンツ再生部４３３（図６、図９参照）は、そのコンテンツを再生して表示部４５０に表示する（ステップＳ１２４Ａ）。
【０２４１】
なお、表示装置４０は、ステップＳ１１１でサムネイルを表示部４５０に表示した後、表示したサムネイルを、定期的に更新してもよい。すなわち、表示装置４０は、ステップＳ１１１でサムネイルを表示したチャンネルについて、ステップＳ１０８を再実行してそのチャンネルのサムネイルの取得要求を再送信し、それにより再取得したサムネイルを、ステップＳ１１１を再実行して再表示することで、サムネイルを更新してもよい。この動作例によれば、表示装置４０では、サムネイルが定期的に更新されるので、例えば、擬似的に動画として表示されるサムネイルをユーザに提示することができる。
【０２４２】
上記の一連の処理により、コンテンツ受信システム４において、表示装置４０は、コンテンツ受信装置１０Ｂで受信可能な放送局のリストをコンテンツ受信装置１０Ｂから取得し、取得したリストをサムネイルとともに表示部４５０に表示してユーザに提示することができる。そして、表示装置４０は、そのリストに含まれる放送局のうち、ユーザに指定された放送局から放送されているコンテンツをコンテンツ受信装置１０Ｂから取得し、取得したコンテンツを再生して表示部４５０に表示することができる。
【０２４３】
すなわち、ユーザは、コンテンツ受信装置１０Ｂで受信可能な複数の放送局の中から、ユーザが、表示装置４０の表示部４５０に表示される放送局のリストおよびサムネイルに基づき指定した放送局から放送されているコンテンツを、表示装置４０の表示部４５０上で視聴することができる。
【０２４４】
次に、表示装置４０の表示部４５０に表示される放送局のリストについて説明する。
【０２４５】
図１９は、実施の形態４における表示装置４０に表示される画像１８０１の一例を示す図である。画像１８０１は、サムネイルを含む放送局のリストである。
【０２４６】
図１９に示すように、画像１８０１は、各放送局について、その放送局から放送されているコンテンツの題名等を示す部分１８０２と、そのコンテンツのサムネイルを示す部分１８０３と、を含む。
【０２４７】
部分１８０２には、その放送局の名称、そのコンテンツの題名、等の情報が、文字（テキスト）により表示されている。
【０２４８】
部分１８０３には、そのコンテンツのサムネイルが表示されている。また、部分１８０３は、部分１８０２の隣に表示されている。これは、部分１８０３が、部分１８０２が示すコンテンツのサムネイルであることを視覚的に示すためである。なお、部分１８０３は、必ずしも部分１８０２の隣に表示されなくてもよい。しかし、部分１８０２と部分１８０３とは、互いに関連があることがユーザに認識されやすい表示態様（例えば、部分１８０２と部分１８０３とを線で結ぶ、部分１８０２の文字の色または背景色と部分１８０３の枠の色とを同じ色または同系色の色にする、等）で表示されることが望ましい。
【０２４９】
このように、実施の形態４では、表示装置４０の表示部４５０には、放送局毎に、放送局の名称等の文字による表示に加えて、その放送局から放送されているコンテンツのサムネイルが表示される。したがって、表示装置４０上で、コンテンツ受信装置１０で受信可能な放送局のうちの１つを選択し、選択した放送局から放送されているコンテンツを視聴しようとするユーザは、視覚的に、より容易に、選択対象となる各放送局から放送されているコンテンツを確認することができる。
【０２５０】
次に、ステップＳ１０９Ａ、ステップＳ１０９Ｂについて説明する。
【０２５１】
図２０は、実施の形態４におけるコンテンツ受信装置１０Ｂで実行されるサムネイル生成処理の一例を示すフローチャートである。図２０のフローチャートは、図１８に示したステップＳ１０９Ａの詳細を示すものである。
【０２５２】
コンテンツ受信装置１０Ｂは、コンテンツ受信部１１０Ｂ（図１６参照）で受信可能なチャンネルのそれぞれについて、順次、ステップＳ４０２〜ステップＳ４０４の処理を実行する（ステップＳ４０１、ステップＳ４０５）。以下、「コンテンツ受信部１１０Ｂで受信可能なチャンネル」のうち、処理対象となるチャンネルのことを、「対象チャンネル」という。
【０２５３】
チャンネル設定部１１４Ｂ（図１６参照）は、対象チャンネルのチャンネル番号をチューナ１１２に設定する（ステップＳ４０２）。
【０２５４】
チャンネル設定部１１４Ｂは、チャンネル番号をチューナ１１２に設定してから所定時間（例えば、１〜３秒）が経過した後、チャンネル番号がチューナ１１２に設定されたことをサムネイル生成部１４２Ｂに通知する。この通知は、実質的に、チャンネル設定部１１４Ｂからサムネイル生成部１４２Ｂにサムネイルの生成を促す通知となる。
【０２５５】
チャンネル設定部１１４Ｂからその通知を受けたサムネイル生成部１４２Ｂ（図１６参照）は、コンテンツ取得部１１３が取得したコンテンツからサムネイルを生成する（ステップＳ４０３）。
【０２５６】
サムネイル生成部１４２Ｂは、ステップＳ４０３で生成したサムネイルを、サムネイル記憶部１４６に保存する（ステップＳ４０４）。
【０２５７】
図２１は、実施の形態４におけるコンテンツ受信装置１０Ｂで実行されるサムネイル送信処理の一例を示すフローチャートである。図２１のフローチャートは、図１８に示したステップＳ１０９Ｂの詳細を示すものである。
【０２５８】
情報変換部１４４（図１６参照）は、表示装置４０から送信されステップＳ１０８（図１８参照）で受信したサムネイルの取得要求に含まれる特定情報を、チャンネル番号に変換する（ステップＳ５０１）。なお、情報変換部１４４は、特定情報がチャネル番号であれば、そのチャネル番号をそのまま用いることができる。
【０２５９】
サムネイル要求受信部１４１の読出し部１４５（図１６参照）は、サムネイル記憶部１４６からサムネイルを読み出して取得する（ステップＳ５０２）。そのサムネイルは、表示装置４０から送信されステップＳ１０８で受信したサムネイルの取得要求に含まれる特定情報によって特定されるチャンネルで放送されているコンテンツのサムネイルである。
【０２６０】
サムネイル送信部１４３は、ステップＳ５０２でサムネイル要求受信部１４１の読出し部１４５が取得したサムネイルを、表示装置４０から送信されてきたサムネイルの取得要求に対する応答として、表示装置４０に送信する（ステップＳ５０３）。
【０２６１】
［４−３．効果］
以上のように、本実施の形態におけるコンテンツ受信装置は、そのコンテンツ受信装置で受信可能な放送局から放送されるコンテンツのサムネイルを表示装置に送信する。そのサムネイルが、表示装置の表示部に表示されてユーザに提示されることで、その表示装置を使用するユーザは、そのコンテンツ受信装置で受信可能な放送局から放送されるコンテンツ（すなわち、表示装置上で視聴可能な放送局のコンテンツ）を知ることができる。このように、そのコンテンツ受信装置は、受信可能な放送局から取得されるコンテンツの一覧を、表示装置を使用するユーザに提供できるので、ユーザの利便性を向上することができる。
【０２６２】
また、そのコンテンツ受信装置は、サムネイルを提供すべきチャンネルを表示装置から指定された場合、予め生成してサムネイル記憶部に記憶しているサムネイルの中から、その指定されたチャンネルで放送されているコンテンツのサムネイルを取得して表示装置に送信する。これにより、そのコンテンツ受信装置は、指定されたチャンネルに基づくサムネイルをユーザに提供することができる。
【０２６３】
また、そのコンテンツ受信装置は、予め定められたチャンネルのコンテンツを受信し、そのコンテンツのサムネイルを生成してサムネイル記憶部に記憶する処理を、予め実行する。そして、そのコンテンツ受信装置は、予め生成したサムネイルの中から、サムネイルの取得要求に対応するサムネイル（サムネイルの取得要求に含まれる特定情報により特定される放送局に対応するサムネイル）を表示装置に送信する。
【０２６４】
これにより、そのコンテンツ受信装置では、表示装置から受信したサムネイルの取得要求に含まれる特定情報により特定される放送局のサムネイルが、サムネイル記憶部に保存されている場合に、そのサムネイルをサムネイル記憶部から読み出して表示装置に送信することができる。そのため、サムネイル生成部は、このような場合にサムネイルを生成しなくてもよい。
【０２６５】
このように、そのコンテンツ受信装置は、表示装置から送信されてくるサムネイルの取得要求に対して、すでに生成したサムネイルを利用することができるので、コンテンツ受信装置においてサムネイルの生成に要する処理を軽減することができる。また、そのような場合に、サムネイルの生成に要する時間分が短縮されるので、サムネイルの取得要求を受信してからサムネイルを送信するまでに要する時間を短縮することができる。これにより、ユーザの利便性をより向上することができる。
【０２６６】
また、そのコンテンツ受信装置は、サムネイルを提供すべきチャンネルが複数指定された場合に、その指定された複数のチャンネルのそれぞれで放送されているコンテンツのサムネイルを表示装置に送信してもよい。これにより、そのコンテンツ受信装置は、指定された複数のチャンネルのそれぞれに対応したサムネイルをユーザに提供することができる。
【０２６７】
また、そのコンテンツ受信装置は、複数のサムネイルを備えた１つの動画ファイルを生成して表示装置に送信してもよい。これにより、そのコンテンツ受信装置と表示装置との間で送受信されるデータの通信量を低減することができ、各装置それぞれにおいて、データの送受信時の処理を低減することができる。
【０２６８】
また、そのコンテンツ受信装置は、サムネイルの取得要求に含まれている特定情報を適切な形式に変換し、予め生成してサムネイル記憶部に記憶しているサムネイルの中から、その特定情報に対応するチャンネルで放送されているコンテンツのサムネイルを取得して表示装置に送信してもよい。これにより、そのコンテンツ受信装置は、指定されたチャンネルに基づくサムネイルをユーザに提供することができる。これにより、そのコンテンツ受信装置は、さまざまな形式の特定情報を受信した場合でも、適切にサムネイルを表示装置に送信することができる。
【０２６９】
また、表示装置は、表示したサムネイルを更新してもよい。これにより、表示装置は、より新しいサムネイルをユーザに提供することができる。すなわち、表示装置は、コンテンツ受信装置が放送波から取得するコンテンツの一覧をユーザに提供する際の利便性を向上することができる。
【０２７０】
（まとめ）
以上のように本開示の実施の形態におけるコンテンツ受信装置は、コンテンツを取得するコンテンツ受信部と、コンテンツ受信部が取得したコンテンツのサムネイルを生成する生成部と、生成部が生成したサムネイルを記憶するサムネイル記憶部と、サムネイルの取得要求を受信する要求受信部と、送信部と、を備える。送信部は、要求受信部で受信されたサムネイルの取得要求に応じて、サムネイル記憶部に記憶されたサムネイルを、サムネイルの取得要求の送信元に送信する。
【０２７１】
このように構成されたコンテンツ受信装置は、例えば、受信可能な放送局から取得したコンテンツのサムネイルを表示装置に送信することができる。そのサムネイルを受信した表示装置は、そのサムネイルを表示部に表示してユーザに提示することができるので、ユーザは、そのサムネイルにより、コンテンツ受信装置で受信可能な放送局から放送されるコンテンツを容易に知ることができる。すなわち、このコンテンツ受信装置は、放送波等から取得されるコンテンツの一覧をユーザに提供する際のユーザの利便性を向上することができる。
【０２７２】
また、このコンテンツ受信装置では、表示装置から受信したサムネイルの取得要求に対応するサムネイルが、サムネイル記憶部に保存されている場合に、そのサムネイルをサムネイル記憶部から読み出して表示装置に送信することができる。そのため、サムネイル生成部は、このような場合にサムネイルを生成しなくてもよい。
【０２７３】
このように、このコンテンツ受信装置は、表示装置から送信されてくるサムネイルの取得要求に対して、すでに生成したサムネイルを利用することができるので、コンテンツ受信装置においてサムネイルの生成に要する処理を軽減することができる。また、そのような場合に、サムネイルの生成に要する時間分が短縮されるので、サムネイルの取得要求を受信してからサムネイルを送信するまでに要する時間を短縮することができる。これにより、ユーザの利便性をより向上することができる。
【０２７４】
また、このコンテンツ受信装置において、コンテンツ受信部は、複数の放送局から放送される放送波をそれぞれ受信してコンテンツを取得してもよい。要求受信部は、複数の放送局のいずれか１つまたは複数を特定する特定情報を含むサムネイルの取得要求を受信してもよい。送信部は、特定情報により特定される放送局から取得したコンテンツのサムネイルを、サムネイルの取得要求の送信元に送信してもよい。
【０２７５】
この構成では、コンテンツ受信装置は、放送局を特定する特定情報が含まれたサムネイルの取得要求を受信したときに、予め生成してサムネイル記憶部に記憶した複数のサムネイルの中から、その特定情報により特定される放送局から取得したコンテンツのサムネイルを選択して表示装置に送信し、ユーザに提供することができる。すなわち、このコンテンツ受信装置は、表示装置から要求された放送局で放送されるコンテンツのサムネイルを表示装置に送信し、その表示装置を使用するユーザに提供することができる。
【０２７６】
また、このコンテンツ受信装置において、コンテンツ受信部は、コンテンツ受信部が受信できる放送局の一覧を示すリストに基づき、複数の放送局から送信される放送波を順次受信してコンテンツを取得してもよい。
【０２７７】
この構成では、コンテンツ受信装置は、予め定められた放送局のチャンネルをチューナに設定し、そのチャンネルで放送されるコンテンツを受信してそのコンテンツのサムネイルを予め生成することができる。そして、生成したサムネイルの中から、サムネイルの取得要求に含まれた特定情報に対応するチャンネルで放送されるコンテンツのサムネイルを表示装置に送信することができる。したがって、このコンテンツ受信装置は、サムネイルの取得要求を受信してから、サムネイルの取得要求に含まれる特定情報に基づくサムネイルを表示装置に送信するまでの時間を、短縮することができる。
【０２７８】
また、このコンテンツ受信装置において、送信部は、複数のサムネイルを送信するときに、複数のサムネイルのそれぞれを画像フレームとして有する１つの動画ファイルを生成し、生成したその動画ファイルを、サムネイルの取得要求の送信元に送信してもよい。
【０２７９】
この構成では、コンテンツ受信装置は、複数のサムネイルを表示装置に送信するときのデータの通信量を低減することができ、コンテンツ受信装置および表示装置においてデータ送受信時に実行する処理を軽減することができる。
【０２８０】
また、このコンテンツ受信装置は、特定情報を、特定情報により特定される放送局の放送波に対応するチャンネル番号に変換する情報変換部を備えていてもよい。
【０２８１】
このように構成されたコンテンツ受信装置では、サムネイルの取得要求に含まれている特定情報を、コンテンツ受信部で扱うことができる適切な形式に変換することができる。したがって、このコンテンツ受信装置は、さまざまな形式の特定情報に対応することができる。
【０２８２】
また、本開示の実施の形態におけるコンテンツ受信システムは、コンテンツ受信装置と、表示装置と、を備える。コンテンツ受信装置は、コンテンツを取得するコンテンツ受信部と、コンテンツ受信部が取得したコンテンツのサムネイルを生成する生成部と、生成部が生成したサムネイルを記憶するサムネイル記憶部と、表示装置から送信されてくるサムネイルの取得要求を受信する要求受信部と、要求受信部で受信されたサムネイルの取得要求に応じて、サムネイル記憶部に記憶されたサムネイルを、サムネイルの取得要求の送信元の表示装置に送信する送信部と、を備える。表示装置は、サムネイルの取得要求をコンテンツ受信装置に送信するサムネイル要求送信部と、コンテンツ受信装置から送信されてくるサムネイルを受信するサムネイル受信部と、サムネイル受信部が受信したサムネイルを表示する表示部と、を備える。
【０２８３】
このコンテンツ受信システムでは、上記のコンテンツ受信装置と同様の効果を得ることができる。
【０２８４】
このコンテンツ受信システムにおいて、表示装置は、サムネイルの取得要求を定期的に送信して、表示部に表示中のサムネイルを定期的に更新してもよい。そのために、サムネイルの取得要求には、表示部に表示中のサムネイルに対応するコンテンツを放送した放送局を特定する特定情報が含まれていてもよい。
【０２８５】
この構成では、表示装置は、表示したサムネイルを更新することで、より新しいサムネイルをユーザに提供することができる。したがって、この表示装置は、放送波から取得されるコンテンツの一覧をユーザに提供する際の利便性を向上することができる。
【０２８６】
また、本開示の実施の形態におけるコンテンツ受信装置の制御方法は、コンテンツを取得するコンテンツ取得ステップと、コンテンツ取得ステップで取得したコンテンツのサムネイルを生成する生成ステップと、生成ステップで生成したサムネイルを記憶するサムネイル記憶ステップと、サムネイルの取得要求を受信する要求受信ステップと、要求受信ステップで受信されたサムネイルの取得要求に応じて、サムネイル記憶ステップで記憶されたサムネイルを、サムネイルの取得要求の送信元に送信する送信ステップと、を含む。
【０２８７】
この制御方法により動作するコンテンツ受信装置は、上記のコンテンツ受信装置と同様の効果を得ることができる。
【０２８８】
また、本開示の実施の形態におけるプログラムは、上記の制御方法をコンピュータに実行させるためのプログラムである。
【０２８９】
なお、上記の装置およびシステムにおいて、コンテンツ受信部１１０Ｂはコンテンツ受信部の一例である。サムネイル生成部１４２Ｂは生成部の一例である。サムネイル記憶部１４６はサムネイル記憶部の一例である。サムネイル要求受信部１４１は要求受信部の一例である。サムネイル送信部１４３は送信部の一例である。情報変換部１４４は情報変換部の一例である。コンテンツ受信装置１０Ｂはコンテンツ受信装置の一例である。表示装置４０、４１、４０Ａは、それぞれが表示装置の一例である。サムネイル要求送信部４２１はサムネイル要求送信部の一例である。サムネイル受信部４２２はサムネイル受信部の一例である。表示部４５０、４０２Ａは、それぞれが表示部の一例である。コンテンツ受信システム４はコンテンツ受信システムの一例である。画像１８０１は、表示部に表示される画像の一例である。
【０２９０】
なお、以下の装置およびシステムにおいて、コンテンツ受信システム１、２、３、４は、それぞれがコンテンツ受信システムの一例である。コンテンツ受信装置１０、１１、１５、１０Ａ、１０Ｂは、それぞれがコンテンツ受信装置の一例である。サーバ３０、３０Ａは、それぞれがサーバの一例である。表示装置４０、４１、４０Ａは、それぞれが表示装置の一例である。コンテンツ受信部１１０、１１０Ｂおよび第一受信部１０１Ａは、それぞれが第一受信部の一例である。リスト送信部１３３、１０３Ａは、それぞれがリスト送信部の一例である。サムネイル生成部１４２、１０２Ａ、１４２Ｂは、それぞれがサムネイル生成部の一例である。サムネイル送信部１４３、１０４Ａは、それぞれがサムネイル送信部の一例である。リスト取得部４１２および第二受信部４０１Ａは、それぞれが第二受信部の一例である。表示部４５０、４０２Ａは、それぞれが表示部の一例である。画像１１０１、１８０１は、表示部に表示される画像の一例である。
【０２９１】
本開示の実施の形態におけるコンテンツ受信システムは、コンテンツ受信装置と、サーバと、表示装置と、を備える。コンテンツ受信装置は、コンテンツを受信する第一受信部と、リスト送信部と、サムネイル生成部と、サムネイル送信部と、を有する。リスト送信部は、第一受信部が受信したコンテンツを示す情報を含むリストを、サーバを経由して表示装置に送信する。サムネイル生成部は、第一受信部が受信したコンテンツのサムネイルを生成する。サムネイル送信部は、サムネイル生成部が生成したサムネイルを表示装置に送信する。表示装置は、第二受信部と、表示部と、を有する。第二受信部は、リスト送信部が送信したリストと、サムネイル送信部が送信したサムネイルと、を受信する。表示部は、第二受信部が受信したリストに含まれる情報に、第二受信部が受信したサムネイルのうち当該情報に対応するコンテンツのサムネイルを対応付けた画像、を表示する。
【０２９２】
このコンテンツ受信システムでは、コンテンツ受信装置は、取得したコンテンツのサムネイルを生成した後、生成したサムネイルを、サーバを経由せず、表示装置に直接送信する。
【０２９３】
仮に、サムネイルを、サーバが保持しサーバから表示装置へ供給するとすれば、サーバは、サムネイルを保存するために必要な記憶容量を備えた記憶装置を備えなければならない。また、コンテンツ受信装置からサーバへサムネイルを送信し、かつサーバから表示装置へサムネイルを送信することができる通信容量を備えた通信回線が必要となる。そして、サーバに接続されたコンテンツ受信装置の数が増えるほど、サムネイルを保存するのに必要な記憶装置の記憶容量は増大し、また、サムネイルの送受信に必要な通信回線の通信容量は増大する。
【０２９４】
このコンテンツ受信システムでは、表示装置がコンテンツ受信装置からサムネイルを取得する一連の処理の中で、サーバはサムネイルを保存しなくてもよい。したがって、サーバに、サムネイルを保存するための記憶容量の大きい記憶装置を備えなくてもよい。また、サーバを接続する通信回線に、サムネイルの送受信に必要な通信容量の大きい通信回線を用いなくてもよい。したがって、このコンテンツ受信システムでは、サーバが備える記憶装置の記憶容量の増加を抑制することができ、またサーバを接続する通信回線の通信容量の増大を抑制することができる。
【０２９５】
このコンテンツ受信システムにおいて、サムネイル生成部は、表示装置からの要求に基づきサムネイルを生成し、サムネイル送信部は、その要求に基づきサムネイルを表示装置に送信する。
【０２９６】
この構成では、コンテンツ受信装置は、表示装置から要求があった場合に、サムネイルを生成して表示装置に送信するように動作する。したがって、コンテンツ受信装置は、表示装置から要求がない場合はサムネイルを生成しないので、コンテンツ受信装置で実行すべき処理の量を低減することができる。
【０２９７】
また、このコンテンツ受信システムにおいて、コンテンツ受信装置は、リストに含まれるコンテンツのうち、ユーザにより選択されたコンテンツを特定する情報を表示装置から受信したときに、表示部が表示することができる形式に、選択されたコンテンツをエンコードし、エンコードした後のコンテンツを表示装置に送信するコンテンツ送信部、を備える。
【０２９８】
なお、コンテンツ送信部１５３はコンテンツ送信部の一例である。
【０２９９】
この構成では、コンテンツ受信装置は、表示装置に表示したサムネイルに基づいてユーザが選択したコンテンツを表示装置に送信するように動作する。その際、表示装置からの要求に基づいて、コンテンツを適切にエンコードするので、表示装置はそのコンテンツを適切に表示することができる。
【０３００】
また、このコンテンツ受信システムは、複数のコンテンツ受信装置を備え、表示装置は、サムネイルの取得要求を複数のコンテンツ受信装置のそれぞれに送信する取得要求送信部を備え、第二受信部は、コンテンツ受信装置毎に、順次、そのコンテンツ受信装置のサムネイル送信部が送信したサムネイルを受信する。
【０３０１】
なお、サムネイル要求送信部４２１は取得要求送信部の一例である。
【０３０２】
この構成では、表示装置は、複数のコンテンツ受信装置が保有するコンテンツを含めたリストを表示することができる。そして、ユーザが表示装置に表示されたリストを閲覧してコンテンツを選択すれば、ユーザが選択したコンテンツを保有するコンテンツ受信装置から表示装置にそのコンテンツが送信され、そのコンテンツは表示装置上で再生される。これにより、ユーザは、表示装置上で選択したコンテンツを表示装置上で視聴することができる。
【０３０３】
また、このコンテンツ受信システムにおいて、サムネイル生成部は、コンテンツに含まれる複数の画像フレームのうちの一部を抽出し、抽出した画像フレームを用いて動画ファイル形式のサムネイルを生成する。
【０３０４】
この構成では、コンテンツ受信装置は、動画ファイル形式のサムネイルを生成し表示装置に送信することができる。これにより、ユーザは、そのサムネイルにより、静止画のサムネイルよりも容易に、サムネイルが示すコンテンツの内容を知ることができる。
【０３０５】
また、このコンテンツ受信システムにおいて、コンテンツ受信装置は、放送波を受信するためのチューナを備えており、第一受信部は、チューナにより放送波を受信し、受信した放送波に含まれる放送コンテンツをコンテンツとして受信する。
【０３０６】
なお、コンテンツ受信部１１０が備えるチューナ（図示せず）、およびコンテンツ受信部１１０Ｂが備えるチューナ１１２は、それぞれがチューナの一例である。
【０３０７】
この構成では、コンテンツ受信装置は、放送局から放送される放送波からコンテンツを取得してサムネイルを生成することができる。ユーザは、生成されたサムネイルにより、放送波からコンテンツ受信装置が取得したコンテンツが何かを知ることができる。そして、そのコンテンツを表示装置上で視聴することができる。
【０３０８】
また、このコンテンツ受信システムにおいて、コンテンツ受信装置は、記憶部を備えており、第一受信部は、受信した放送波に含まれる放送コンテンツを記憶部に保存し、記憶部に保存された放送コンテンツをコンテンツとして取得する。
【０３０９】
なお、記憶部１２０は記憶部の一例である。
【０３１０】
この構成では、コンテンツ受信装置は、放送波から取得して記憶部に保存したコンテンツを、記憶部から読み出して取得し、そのコンテンツのサムネイルを生成することができる。ユーザは、生成されたサムネイルにより、コンテンツ受信装置の記憶部に保存されたコンテンツが何かを知ることができる。そして、そのコンテンツを表示装置上で視聴することができる。
【０３１１】
また、このコンテンツ受信システムにおいて、表示装置とコンテンツ受信装置とは、Ｐ２Ｐ（Ｐｅｅｒ  ｔｏ  Ｐｅｅｒ）型の通信接続を行い、サムネイル送信部は、Ｐ２Ｐ型の通信接続を用いてサムネイルを表示装置に送信する。
【０３１２】
この構成では、表示装置は、Ｐ２Ｐ通信によりコンテンツ受信装置からサムネイルを取得することができる。すなわち、表示装置は、コンテンツ受信装置から、他の通信装置を中継せずに、サムネイルを取得することができる。
【０３１３】
また、本開示の実施の形態におけるコンテンツ受信装置は、コンテンツを受信する第一受信部と、リスト送信部と、サムネイル生成部と、サムネイル送信部と、を有する。リスト送信部は、第一受信部が受信したコンテンツを示す情報を含むリストを、サーバを経由して表示装置に送信する。サムネイル生成部は、第一受信部が受信したコンテンツのサムネイルを生成する。サムネイル送信部は、サムネイル生成部が生成したサムネイルを表示装置に送信する。
【０３１４】
このコンテンツ受信装置を含んだコンテンツ受信システムでは、上記のコンテンツ受信システムと同様の効果を得ることができる。
【０３１５】
また、本開示の実施の形態における表示装置は、第二受信部と、表示部と、を有する。第二受信部は、コンテンツ受信装置から送信されるリストおよびサムネイルを受信する。表示部は、第二受信部が受信したリストに含まれる情報に、第二受信部が受信したサムネイルのうち当該情報に対応するコンテンツのサムネイルを対応付けた画像、を表示する。
【０３１６】
この表示装置を含んだコンテンツ受信システムでは、上記のコンテンツ受信システムと同様の効果を得ることができる。
【０３１７】
また、本開示の実施の形態におけるコンテンツ受信システムの制御方法は、コンテンツ受信装置と、サーバと、表示装置と、を備えるコンテンツ受信システムの制御方法である。この制御方法は、コンテンツ受信装置が、コンテンツを受信する第一受信ステップと、コンテンツ受信装置が、第一受信ステップで受信したコンテンツを示す情報を含むリストを、サーバを経由して表示装置に送信するリスト送信ステップと、コンテンツ受信装置が、第一受信ステップで受信したコンテンツのサムネイルを生成するサムネイル生成ステップと、コンテンツ受信装置が、サムネイル生成ステップで生成したサムネイルを表示装置に送信するサムネイル送信ステップと、表示装置が、リスト送信ステップで送信されたリストおよびサムネイル送信ステップで送信されたサムネイルを受信する第二受信ステップと、表示装置が、第二受信ステップで受信したリストに含まれる情報に、第二受信ステップで受信したサムネイルのうち当該情報に対応するコンテンツのサムネイルを対応付けた画像、を表示部に表示する表示ステップと、を含む。
【０３１８】
この制御方法により動作するコンテンツ受信システムは、上記のコンテンツ受信システムと同様の効果を得ることができる。
【０３１９】
また、本開示の実施の形態におけるプログラムは、上記の制御方法をコンピュータに実行させるためのプログラムである。
【０３２０】
以上のように、本出願において開示する技術の例示として、実施の形態１〜４を説明した。そのために、添付図面および詳細な説明を提供した。しかしながら、本開示における技術は、これに限定されず、変更、置き換え、付加、省略等を行った実施の形態にも適用できる。また、上記実施の形態１〜４で説明した各構成要素を組み合わせて、新たな実施の形態とすることも可能である。
【０３２１】
添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０３２２】
また、上述の実施の形態は、本開示における技術を例示するためのものであるから、請求の範囲またはその均等の範囲において種々の変更、置き換え、付加、省略などを行うことができる。
【産業上の利用可能性】
【０３２３】
本開示は、コンテンツのサムネイルを表示装置に提供するコンテンツ受信システムに適用可能である。具体的には、各種記録メディアにコンテンツを記憶する録画装置、テレビジョン受像機、スマートフォン、携帯電話、タブレット端末、パーソナルコンピュータ、サーバコンピュータ、等に本開示は適用可能である。
【符号の説明】
【０３２４】
１，２，３，４    コンテンツ受信システム
１０，１０Ａ，１０Ｂ，１１，１５    コンテンツ受信装置
２０，２５    通信装置
３０，３０Ａ    サーバ
４０，４０Ａ，４１    表示装置
５０    ネットワーク
１０１Ａ    第一受信部
１０２Ａ，１４２，１４２Ｂ    サムネイル生成部
１０３Ａ，１３３    リスト送信部
１０４Ａ，１４３    サムネイル送信部
１１０，１１０Ｂ    コンテンツ受信部
１１１    アンテナ
１１２    チューナ
１１３    コンテンツ取得部
１１４Ｂ    チャンネル設定部
１２０    記憶部
１３０，１３０Ｂ，４１０    リスト制御部
１３１    リスト要求受信部
１３２    リスト生成部
１４０，１４０Ｂ，４２０    サムネイル制御部
１４１    サムネイル要求受信部
１４２Ａ，１４６，４２５    サムネイル記憶部
１４４    情報変換部
１４５    読出し部
１５０，４３０    コンテンツ制御部
１５１    コンテンツ要求受信部
１５２    コンテンツ変換部
１５３    コンテンツ送信部
１６０，４６０    通信ＩＦ
３０１Ａ    中継部
４０１Ａ    第二受信部
４０２Ａ，４５０    表示部
４１１    リスト要求送信部
４１２    リスト取得部
４１３    リスト表示制御部
４２１    サムネイル要求送信部
４２２    サムネイル受信部
４２３    サムネイル表示指示部
４３１    コンテンツ要求送信部
４３２    コンテンツ取得部
４３３    コンテンツ再生部
４４０    設定部
１１０１，１８０１    画像
１１０２，１１０３，１８０２，１８０３    部分
【図１】
2016051803.tif 000003
【図２】
2016051803.tif 000004
【図３】
2016051803.tif 000005
【図４】
2016051803.tif 000006
【図５】
2016051803.tif 000007
【図６】
2016051803.tif 000008
【図７】
2016051803.tif 000009
【図８】
2016051803.tif 000010
【図９】
2016051803.tif 000011
【図１０】
2016051803.tif 000012
【図１１】
2016051803.tif 000013
【図１２】
2016051803.tif 000014
【図１３】
2016051803.tif 000015
【図１４】
2016051803.tif 000016
【図１５】
2016051803.tif 000017
【図１６】
2016051803.tif 000018
【図１７】
2016051803.tif 000019
【図１８】
2016051803.tif 000020
【図１９】
2016051803.tif 000021
【図２０】
2016051803.tif 000022
【図２１】
2016051803.tif 000023
【国際調査報告】
2016051803.tif 000024
2016051803.tif 000025
2016051803.tif 000026